(57)【要約】  ＰＲＳビームフォーミングとも呼ばれる、指向性測位基準信号（ＰＲＳ）を使用したワイヤレスネットワークにおけるモバイルデバイスの測位のための技法が提供される。例となる方法では、複数の指向性ＰＲＳ（Ｓ１、Ｓ２）が、基地局（４１０）のための少なくとも１つのセルのために生成され、これにより、複数の指向性ＰＲＳの各々は、少なくとも１つの信号特性および送信の方向を備え、これらのいずれかまたは両方が、個別または一意であり得る。複数の指向性ＰＲＳは、複数の指向性ＰＲＳの各々が送信の方向に送信されるように、少なくとも１つのセル内で送信される。モバイルデバイス（４２０）は、関連付けられた信号特性を使用して識別され得る指向性ＰＲＳのうちの少なくとも１つを補足および測定し得る。測定値は、ＯＴＤＯＡおよびＥＣＩＤなどの測位方法を支援し、マルチパスを軽減するために使用され得る。【選択図】図４
2020530110.tif 000002
【特許請求の範囲】
【請求項１】
第１の基地局において、モバイルデバイスの測位をサポートするための方法であって、前記方法は、
前記第１の基地局のための少なくとも１つのセルのための複数の指向性測位基準信号（ＰＲＳ）を生成することと、ここにおいて、前記複数の指向性ＰＲＳの各々は、少なくとも１つの信号特性および送信の方向を備え、
前記少なくとも１つのセル内で前記複数の指向性ＰＲＳの各々を送信することと、ここにおいて、前記複数の指向性ＰＲＳの各々は、前記送信の方向に送信される、
を備える、方法。
【請求項２】
前記少なくとも１つの信号特性は、周波数、周波数シフト、コードシーケンス、ミューティングパターン、送信時間、またはこれらの任意の組合せを備える、請求項１に記載の方法。
【請求項３】
前記少なくとも１つのセル内で前記複数の指向性ＰＲＳを送信することは、
前記送信の方向に各指向性ＰＲＳをビームフォーミングするように構成された制御可能なアンテナアレイを通じて、前記複数の指向性ＰＲＳを方向づけること
を備える、請求項１に記載の方法。
【請求項４】
前記送信の方向は、水平角の連続範囲、垂直角の連続範囲、またはこれらの組合せを備える、請求項３に記載の方法。
【請求項５】
前記複数の指向性ＰＲＳのうちの少なくとも１つは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づいて、位置特定対応デバイスにおいて前記モバイルデバイスのロケーション決定を促進するために、前記モバイルデバイスによって検出可能である、請求項１に記載の方法。
【請求項６】
前記複数の指向性ＰＲＳのうちの前記少なくとも１つは、前記複数の指向性ＰＲＳのうちの前記少なくとも１つについての前記送信の方向、前記複数の指向性ＰＲＳのうちの前記少なくとも１つについての前記少なくとも１つの信号特性、またはこれらの組合せに基づいて、前記モバイルデバイスによって検出可能である、請求項５に記載の方法。
【請求項７】
前記モバイルデバイスに、前記複数の指向性ＰＲＳのうちの前記少なくとも１つについての前記送信の方向、または前記複数の指向性ＰＲＳのうちの前記少なくとも１つについての前記少なくとも１つの信号特性、のうちの少なくとも１つを送ること
をさらに備える、請求項６に記載の方法。
【請求項８】
前記送ることは、前記少なくとも１つのセル内のブロードキャストに基づく、請求項７に記載の方法。
【請求項９】
前記位置特定対応デバイスにおける前記ロケーション決定は、前記複数の指向性ＰＲＳのうちの前記最小のものについての前記送信の方向と、前記モバイルデバイスについてのおおよそのロケーションとに基づいて、前記複数の指向性ＰＲＳのうちの前記最小のものについてのマルチパスの有無を決定することを含み、ここにおいて、前記位置特定対応デバイスにおいて前記モバイルデバイスのロケーションを前記決定することは、マルチパスの前記決定された有無に少なくとも部分的に基づく、請求項５に記載の方法。
【請求項１０】
前記モバイルデバイスについての前記おおよそのロケーションは、前記モバイルデバイスのためのサービングセルに少なくとも部分的に基づく、請求項９に記載の方法。
【請求項１１】
前記位置特定対応デバイスが、前記モバイルデバイス、ロケーション管理機能（ＬＭＦ）、または前記第１の基地局とは異なる第２の基地局を備え、前記方法は、
前記位置特定対応デバイスに、前記複数の指向性ＰＲＳのうちの前記少なくとも１つについての前記送信の方向を送ること
をさらに備える、請求項５に記載の方法。
【請求項１２】
前記少なくとも１つのセルは、前記モバイルデバイスのためのサービングセルである、請求項１に記載の方法。
【請求項１３】
前記複数の指向性ＰＲＳの各々についての前記少なくとも１つの信号特性および前記送信の方向のうちの少なくとも１つは、一意である、請求項１に記載の方法。
【請求項１４】
位置特定対応デバイスにおいて、モバイルデバイスの測位をサポートするための方法であって、前記方法は、
第１の基地局のための少なくとも１つのセルにおいて前記第１の基地局によって送信された第１の指向性測位基準信号（ＰＲＳ）についての、前記モバイルデバイスからの少なくとも１つの第１の測定値を取得することと、ここにおいて、前記第１の指向性ＰＲＳは、少なくとも１つの第１の信号特性および第１の送信の方向を備え、
前記少なくとも１つの第１の測定値および前記第１の送信の方向に少なくとも部分的に基づいて、前記モバイルデバイスのロケーションを決定することと
を備える、方法。
【請求項１５】
前記少なくとも１つの第１の信号特性は、キャリア周波数、周波数シフト、コードシーケンス、ミューティングパターン、帯域幅、送信時間、またはこれらの任意の組合せを備える、請求項１４に記載の方法。
【請求項１６】
前記第１の指向性ＰＲＳは、前記第１の送信の方向に前記第１の指向性ＰＲＳをビームフォーミングするように構成された制御可能なアンテナアレイを通じて、前記第１の基地局から送信される、請求項１４に記載の方法。
【請求項１７】
前記第１の送信の方向は、水平角の連続範囲、垂直角の連続範囲、またはこれらの組合せを備える、請求項１６に記載の方法。
【請求項１８】
前記位置特定対応デバイスは、前記モバイルデバイスを備え、前記方法は、
前記第１の基地局からまたはロケーション管理機能（ＬＭＦ）から、前記少なくとも１つの第１の信号特性および前記第１の送信の方向を受信すること
をさらに備える、請求項１４に記載の方法。
【請求項１９】
前記第１の送信の方向は、前記第１の基地局からブロードキャスト信号を受信することによって、前記第１の基地局から受信される、請求項１８に記載の方法。
【請求項２０】
前記位置特定対応デバイスは、前記第１の基地局、またはロケーション管理機能（ＬＭＦ）を備え、前記方法は、
前記モバイルデバイスから前記少なくとも１つの第１の測定値を受信すること
をさらに備える、請求項１４に記載の方法。
【請求項２１】
前記モバイルデバイスに前記少なくとも１つの第１の信号特性を送ること
をさらに備える、請求項２０に記載の方法。
【請求項２２】
前記第１の指向性ＰＲＳについての前記少なくとも１つの第１の測定値は、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、前記少なくとも１つの第１の信号特性の検出、またはこれらの任意の組合せを備える、請求項１４に記載の方法。
【請求項２３】
前記モバイルデバイスの前記ロケーションを決定することは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づく、請求項２２に記載の方法。
【請求項２４】
前記第１の送信の方向と、前記モバイルデバイスについてのおおよそのロケーションとに基づいて、前記第１の指向性ＰＲＳについてのマルチパスの有無を決定すること、ここにおいて、前記モバイルデバイスの前記ロケーションを決定することは、マルチパスの前記決定された有無に少なくとも部分的に基づく、
をさらに備える、請求項２３に記載の方法。
【請求項２５】
前記モバイルデバイスについての前記おおよそのロケーションは、前記モバイルデバイスのためのサービングセルに少なくとも部分的に基づく、請求項２４に記載の方法。
【請求項２６】
第２の基地局のための少なくとも１つのセルにおいて前記第２の基地局によって送信された第２の指向性ＰＲＳについての、前記モバイルデバイスからの少なくとも１つの第２の測定値を取得することと、ここにおいて、前記第２の指向性ＰＲＳは、少なくとも１つの第２の信号特性および第２の送信の方向を備え、ここにおいて、前記第２の指向性ＰＲＳについての前記少なくとも１つの第２の信号特性および前記第２の送信の方向は、それぞれ、前記第１の指向性ＰＲＳについての前記少なくとも１つの第１の信号特性および前記第１の送信の方向とは異なり、
前記少なくとも１つの第１の測定値、前記少なくとも１つの第２の測定値、前記第１の指向性ＰＲＳについての前記第１の送信の方向、および前記第２の指向性ＰＲＳについての前記第２の送信の方向に少なくとも部分的に基づいて、前記モバイルデバイスの前記ロケーションを決定することと
をさらに備える、請求項１４に記載の方法。
【請求項２７】
前記第１の基地局のための前記少なくとも１つのセルは、前記モバイルデバイスのためのサービングセルである、請求項１４に記載の方法。
【請求項２８】
前記第１の指向性ＰＲＳについての前記少なくとも１つの第１の信号特性および前記第１の送信の方向のうちの少なくとも１つは、一意である、請求項１４に記載の方法。
【請求項２９】
モバイルデバイスにおいて、前記モバイルデバイスの測位をサポートするための方法であって、前記方法は、
前記モバイルデバイスにおいて、第１の基地局のための少なくとも１つのセル内で前記第１の基地局によって送信された第１の指向性測位基準信号（ＰＲＳ）を受信することと、ここにおいて、前記第１の指向性ＰＲＳは、少なくとも１つの第１の信号特性および第１の送信の方向を備え、
前記少なくとも１つの第１の信号特性に少なくとも部分的に基づいて、前記第１の指向性ＰＲＳについての少なくとも１つの第１の測定値を取得することと、
前記少なくとも１つの第１の測定値に少なくとも部分的に基づいて、位置特定対応デバイスにおいて前記モバイルデバイスのロケーション決定を促進することと
を備える、方法。
【請求項３０】
モバイルデバイスの測位をサポートするための装置であって、
第１の基地局のための少なくとも１つのセル内で前記第１の基地局によって送信された第１の指向性測位基準信号（ＰＲＳ）を受信するための手段と、ここにおいて、前記第１の指向性ＰＲＳは、少なくとも１つの第１の信号特性および第１の送信の方向を備え、
前記少なくとも１つの第１の信号特性に少なくとも部分的に基づいて、前記第１の指向性ＰＲＳについての少なくとも１つの第１の測定値を取得するための手段と、
前記少なくとも１つの第１の測定値に少なくとも部分的に基づいて、前記モバイルデバイスのロケーション決定を促進するための手段と
を備える、装置。
【発明の詳細な説明】
【背景技術】
【０００１】
[0001]ワイヤレスネットワークにアクセスしているモバイルデバイスのロケーションまたはポジションを取得することは、例えば、緊急呼出し、パーソナルナビゲーション、資産管理、友人または家族のメンバを位置特定することなどを含む、多くのアプリケーションに有用であり得る。既存の測位方法（position methods）は、衛星ビークル（ＳＶ）と、基地局およびアクセスポイントなどのワイヤレスネットワークにおける地上無線ソースとを含む、様々なデバイスから送信された無線信号を測定することに基づく方法を含む。地上無線ソースに基づく方法では、モバイルデバイスは、２つ以上の基地局から受信される信号のタイミングを測定し、到着時間、到着時間差、および／または受信時間−送信時間差（receive time-transmit time differences）を決定し得る。これらの測定値を、基地局についての既知のロケーションおよび各基地局からの既知の送信時間と組み合わせることは、観測到着時間差（ＯＴＤＯＡ：Observed Time Difference Of Arrival）または拡張セルＩＤ（ＥＣＩＤ）などの測位方法を使用したモバイルデバイスの位置特定を可能にし得る。
【０００２】
[0002]（例えば、ＯＴＤＯＡのための）ロケーション決定にさらに役立てるために、測位基準信号（ＰＲＳ）が、測定精度と、タイミング測定値がモバイルデバイスによって取得され得る異なる基地局の数との両方を増大させるために、基地局によって送信され得る。しかしながら、ロケーション精度は、誤差、ロケーション測定値の不正確さ、およびマルチパスの影響（multipath effects）を含むいくつかの要因によって損なわれる可能性があり、ここで、ＰＲＳ信号は、木、壁、建物、および交通などの介在する障害物によって、反射、屈折、または散乱する可能性がある。したがって、そのような要因を軽減または克服するための方法および技法が、有益であり得る。
【発明の概要】
【０００３】
[0003]本開示による、第１の基地局において、モバイルデバイスの測位をサポートするための方法の例が、複数の指向性測位基準信号（ＰＲＳ）の各々が少なくとも１つの信号特性および送信の方向を備えるように、基地局のための少なくとも１つのセルのための複数の指向性ＰＲＳを生成することと、複数の指向性ＰＲＳの各々が送信の方向に送信されるように、少なくとも１つのセル内で複数の指向性ＰＲＳの各々を送信することとを含む。
【０００４】
[0004]このような方法のインプリメンテーションは、以下の特徴のうちの１つまたは複数を含み得る。少なくとも１つの信号特性は、周波数、周波数シフト、コードシーケンス、ミューティングパターン（muting pattern）、送信時間、またはこれらの任意の組合せを含み得る。少なくとも１つのセル内で複数の指向性ＰＲＳを送信することは、送信の方向に各指向性ＰＲＳをビームフォーミングするように構成された制御可能なアンテナアレイを通じて、複数の指向性ＰＲＳを方向づける（directing）ことを含み得る。送信の方向は、水平角の連続範囲、垂直角の連続範囲、またはこれらの組合せを含み得る。複数の指向性ＰＲＳのうちの少なくとも１つは、観測到着時間差（ＯＴＤＯＡ）測位方法、放射角（ＡＯＤ：angle of departure）測位方法、または拡張セルＩＤ（ＥＣＩＤ）測位方法、あるいはこれらの任意の組合せに基づいて、位置特定対応デバイス（location-capable device）においてモバイルデバイスのロケーション決定を促進するために、モバイルデバイスによって検出可能であり得る。複数の指向性ＰＲＳのうちの少なくとも１つは、複数の指向性ＰＲＳのうちの少なくとも１つについての送信の方向、複数の指向性ＰＲＳのうちの少なくとも１つについての少なくとも１つの信号特性、またはこれらの組合せに基づいて、モバイルデバイスによって検出可能であり得る。方法は、モバイルデバイスに、複数の指向性ＰＲＳのうちの少なくとも１つについての送信の方向、または複数の指向性ＰＲＳのうちの少なくとも１つについての少なくとも１つの信号特性、のうちの少なくとも１つを送ることをさらに含み得る。送ることは、少なくとも１つのセル内のブロードキャストに基づき得る。位置特定対応デバイスにおけるロケーション決定は、位置特定対応デバイスにおいてモバイルデバイスのロケーションを決定することが、マルチパスの決定された有無に少なくとも部分的に基づくように、複数の指向性ＰＲＳのうちの最小のものについての送信の方向と、モバイルデバイスについてのおおよそのロケーションとに基づいて、複数の指向性ＰＲＳのうちの最小のものについてのマルチパスの有無を決定することを含み得る。モバイルデバイスについてのおおよそのロケーションは、モバイルデバイスのためのサービングセルに少なくとも部分的に基づき得る。位置特定対応デバイスは、第１の基地局とは異なる第２の基地局、モバイルデバイス、またはロケーション管理機能（ＬＭＦ）を含み得、これにより、方法は、位置特定対応デバイスに、複数の指向性ＰＲＳのうちの少なくとも１つについての送信の方向を送ることをさらに含む。少なくとも１つのセルは、モバイルデバイスのためのサービングセルであり得る。複数の指向性ＰＲＳの各々についての少なくとも１つの信号特性および送信の方向のうちの少なくとも１つは、一意であり得る。
【０００５】
[0005]本開示による、モバイルデバイスにおいて、モバイルデバイスの測位をサポートするための方法の例が、第１の指向性測位基準信号（ＰＲＳ）が少なくとも１つの第１の信号特性および第１の送信の方向を備えるように、モバイルデバイスにおいて、第１の基地局のための少なくとも１つのセル内で第１の基地局によって送信された第１の指向性ＰＲＳを受信することと、少なくとも１つの第１の信号特性に少なくとも部分的に基づいて、第１の指向性ＰＲＳについての少なくとも１つの第１の測定値を取得することと、少なくとも１つの第１の測定値に少なくとも部分的に基づいて、位置特定対応デバイスにおいてモバイルデバイスのロケーション決定を促進することとを含む。
【０００６】
[0006]このような方法のインプリメンテーションは、以下の特徴のうちの１つまたは複数を含み得る。少なくとも１つの第１の信号特性は、キャリア周波数、周波数シフト、コードシーケンス、ミューティングパターン、帯域幅、送信時間、またはこれらの任意の組合せを含み得る。第１の指向性ＰＲＳは、第１の送信の方向に第１の指向性ＰＲＳをビームフォーミングするように構成された制御可能なアンテナアレイを通じて、第１の基地局から送信され得る。第１の送信の方向は、水平角の連続範囲、垂直角の連続範囲、またはこれらの組合せを含み得る。方法は、第１の基地局からまたはロケーション管理機能（ＬＭＦ）から、第１の指向性ＰＲＳについての少なくとも１つの第１の信号特性を受信することをさらに含み得る。第１の指向性ＰＲＳについての少なくとも１つの第１の測定値は、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、少なくとも１つの信号特性の検出、またはこれらの任意の組合せを含み得る。位置特定対応デバイスにおけるモバイルデバイスのロケーション決定は、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づき得る。位置特定対応デバイスにおけるモバイルデバイスのロケーション決定は、位置特定対応デバイスにおいてモバイルデバイスのロケーションを決定することが、マルチパスの決定された有無に少なくとも部分的に基づくように、第１の送信の方向と、モバイルデバイスについてのおおよそのロケーションとに基づいて、第１の指向性ＰＲＳについてのマルチパスの有無を決定することを含み得る。モバイルデバイスについてのおおよそのロケーションは、モバイルデバイスのためのサービングセルに少なくとも部分的に基づき得る。位置特定対応デバイスは、第１の基地局、またはロケーション管理機能（ＬＭＦ）を含み得、これにより、方法は、位置特定対応デバイスに、第１の指向性ＰＲＳについての少なくとも１つの第１の測定値を送ることをさらに含む。方法は、第２の指向性ＰＲＳが少なくとも１つの第２の信号特性および第２の送信の方向を備えるように、および第２の指向性ＰＲＳについての少なくとも１つの第２の信号特性および第２の送信の方向が、それぞれ、第１の指向性ＰＲＳについての少なくとも１つの第１の信号特性および第１の送信の方向とは異なるように、モバイルデバイスにおいて、第２の基地局のための少なくとも１つのセル内で第２の基地局によって送信された第２の指向性ＰＲＳを受信することと、第２の指向性ＰＲＳについての少なくとも１つの第２の信号特性に少なくとも部分的に基づいて、第２の指向性ＰＲＳについての少なくとも１つの第２の測定値を取得することと、少なくとも１つの第１の測定値および少なくとも１つの第２の測定値に少なくとも部分的に基づいて、位置特定対応デバイスにおいてモバイルデバイスのロケーション決定を促進することとを含み得る。第１の基地局のための少なくとも１つのセルは、モバイルデバイスのためのサービングセルであり得る。第１の指向性ＰＲＳについての少なくとも１つの第１の信号特性および第１の送信の方向のうちの少なくとも１つは、一意であり得る。
【０００７】
[0007]本開示による、位置特定対応デバイスにおいて、モバイルデバイスの測位をサポートするための方法の例が、第１の指向性測位基準信号（ＰＲＳ）が少なくとも１つの第１の信号特性および第１の送信の方向を備えるように、第１の基地局のための少なくとも１つのセルにおいて第１の基地局によって送信された第１の指向性ＰＲＳについての、モバイルデバイスからの少なくとも１つの第１の測定値を取得することと、少なくとも１つの第１の測定値および第１の送信の方向に少なくとも部分的に基づいて、モバイルデバイスのロケーションを決定することとを含む。
【０００８】
[0008]このような方法のインプリメンテーションは、以下の特徴のうちの１つまたは複数を含み得る。少なくとも１つの第１の信号特性は、キャリア周波数、周波数シフト、コードシーケンス、ミューティングパターン、帯域幅、送信時間、またはこれらの任意の組合せを含み得る。第１の指向性ＰＲＳは、第１の送信の方向に第１の指向性ＰＲＳをビームフォーミングするように構成された制御可能なアンテナアレイを通じて、第１の基地局から送信され得る。第１の送信の方向は、水平角の連続範囲、垂直角の連続範囲、またはこれらの組合せを含み得る。位置特定対応デバイスは、モバイルデバイスを含み得、これにより、方法は、第１の基地局からまたはロケーション管理機能（ＬＭＦ）から、少なくとも１つの第１の信号特性および第１の送信の方向を受信することをさらに含む。第１の送信の方向は、第１の基地局からのブロードキャスト信号を受信することによって、第１の基地局から受信され得る。位置特定対応デバイスは、第１の基地局、またはロケーション管理機能（ＬＭＦ）を含み得、これにより、方法は、モバイルデバイスから少なくとも１つの第１の測定値を受信することをさらに含む。方法はまた、モバイルデバイスに少なくとも１つの第１の信号特性を送ることを含み得る。第１の指向性ＰＲＳについての少なくとも１つの第１の測定値は、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、少なくとも１つの第１の信号特性の検出、またはこれらの任意の組合せを含み得る。モバイルデバイスのロケーションを決定することは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づき得る。方法は、モバイルデバイスのロケーションを決定することが、マルチパスの決定された有無に少なくとも部分的に基づくように、第１の送信の方向と、モバイルデバイスについてのおおよそのロケーションとに基づいて、第１の指向性ＰＲＳについてのマルチパスの有無を決定することを含み得る。モバイルデバイスについてのおおよそのロケーションは、モバイルデバイスのためのサービングセルに少なくとも部分的に基づき得る。方法は、第２の指向性ＰＲＳが少なくとも１つの第２の信号特性および第２の送信の方向を備えるように、および第２の指向性ＰＲＳについての少なくとも１つの第２の信号特性および第２の送信の方向が、それぞれ、第１の指向性ＰＲＳについての少なくとも１つの第１の信号特性および第１の送信の方向とは異なるように、第２の基地局のための少なくとも１つのセルにおいて第２の基地局によって送信された第２の指向性ＰＲＳについての、モバイルデバイスからの少なくとも１つの第２の測定値を取得することと、少なくとも１つの第１の測定値、少なくとも１つの第２の測定値、第１の指向性ＰＲＳについての第１の送信の方向、および第２の指向性ＰＲＳについての第２の送信の方向に少なくとも部分的に基づいて、モバイルデバイスのロケーションを決定することとを含み得る。第１の基地局のための少なくとも１つのセルは、モバイルデバイスのためのサービングセルであり得る。第１の指向性ＰＲＳについての少なくとも１つの第１の信号特性および第１の送信の方向のうちの少なくとも１つは、一意であり得る。
【０００９】
[0009]本開示の他のおよびさらなる目的、特徴、態様、および利点が、以下の添付の図面の詳細な説明により、より良く理解されることになるであろう。
【図面の簡単な説明】
【００１０】
【図１】[0010]図１は、例となる通信システムの図である。
【図２】[0011]図２は、基地局から送信されるビームフォーミングされた（指向性）測位基準信号（ＰＲＳ）の例となる構成の図である。
【図３Ａ】[0012]図３Ａは、ロケーション決定機能のために指向性（ビームフォーミングされた）ＰＲＳ信号を使用することの例となるインプリメンテーションを例示する図である。
【図３Ｂ】[0013]図３Ｂは、ロケーション決定機能を促進するために指向性ＰＲＳ信号を使用することの別の例となるインプリメンテーションを例示する図である。
【図４】[0014]図４は、指向性ＰＲＳ信号を使用したマルチパスの影響の軽減を例示する図である。
【図５】[0015]図５は、位置特定セッション中に、通信ネットワークの構成要素間で送られるメッセージを示すシグナリングフロー図である。
【図６】[0016]図６は、ＰＲＳ測位機会を伴う例となるＬＴＥ（登録商標）サブフレームシーケンスの構造の図である。
【図７】[0017]図７は、ワイヤレスノードによってサポートされるセルについてのＰＲＳ送信のさらなる態様を例示する図である。
【図８】[0018]図８は、モバイルデバイスの測位をサポートおよび促進するための、概してネットワークノードにおいて実行される、例となるプロシージャのフローチャートである。
【図９】[0019]図９は、モバイルデバイスの測位を促進するための、概してモバイルデバイスにおいて実行される、例となるプロシージャのフローチャートである。
【図１０】[0020]図１０は、モバイルデバイスの測位を促進するための、概して位置特定対応デバイスにおいて実行される、例となるプロシージャのフローチャートである。
【図１１】[0021]図１１は、例となるワイヤレスノード（基地局、アクセスポイント、またはサーバなど）の概略図である。
【図１２】[0022]図１２は、モバイルデバイス（例えば、ＵＥ）の概略図である。
【００１１】
[0023]ある特定の例となるインプリメンテーションに従って、様々な図面における同様の参照記号は、同様の要素を示す。加えて、要素の複数のインスタンスは、要素についての第１の番号の後に、ハイフンと第２の番号を続けるか、または英字を続けることによって示され得る。例えば、要素１１０の複数のインスタンスは、１１０−１、１１０−２、１１０−３などとして、および／または１１０ａ、１１０ｂ、１１０ｃなどとして示され得る。第１の番号のみを使用してこのような要素を参照するとき、要素のいずれのインスタンスも理解されるべきである（例えば、先の例における要素１１０は、要素１１０−１、１１０−２および１１０−３、および／または１１０ａ、１１０ｂおよび１１０ｃを参照することになる）。
【詳細な説明】
【００１２】
[0024]ワイヤレスネットワークにアクセスしているモバイルデバイスのロケーションまたはポジションを取得することは、例えば、緊急呼出し、パーソナルナビゲーション、資産管理、友人または家族のメンバを位置特定することなどを含む、多くのアプリケーションに有用であり得る。既存の測位方法は、衛星ビークル（ＳＶ）と、基地局およびアクセスポイントなどのワイヤレスネットワークにおける地上無線ソースとを含む、様々なデバイスから送信された無線信号を測定することに基づく方法を含む。地上無線ソースに基づく方法では、モバイルデバイスは、２つ以上の基地局から受信される信号のタイミングを測定し、信号強度、到着時間、到着時間差、および／または受信時間−送信時間差を決定し得る。これらの測定値を、基地局についての既知のロケーションと、場合によっては、各基地局からの既知の送信時間と組み合わせることは、観測到着時間差（ＯＴＤＯＡ）または拡張セルＩＤ（ＥＣＩＤ）などの測位方法を使用したモバイルデバイスの位置特定を可能にし得る。このような地上ベースの測位方法は、第３世代パートナーシッププロジェクト（３ＧＰＰ（登録商標））として知られる団体によって定義されたロングタームエボリューション（ＬＴＥ）および第５世代（５Ｇ）（新無線（ＮＲ）とも呼ばれる）などの異なるワイヤレス技術をサポートするワイヤレスネットワークにおいて用いられ得る。
【００１３】
[0025]本明細書では、測位基準信号（ＰＲＳ）ビームフォーミングとも呼ばれる、指向性ＰＲＳのためのシステム、デバイス、方法、媒体、および他のインプリメンテーションが説明される。ＰＲＳ信号は、例えば、ＯＴＤＯＡ測位方法を使用して、測位をサポートするために使用され、同じセットの時間においてまたは異なるセットの時間において（at the same set of times or at different sets of times）、ネットワークにおける異なるセルのために送信され得る。例えば、ＬＴＥアクセスのケースでは、ＰＲＳは、各測位機会が１つまたは複数の連続するサブフレーム（例えば、それぞれが１ｍｓの持続時間のＬＴＥサブフレーム）を備えている状態で、固定された周期的なインターバルにおいて生じ得るＰＲＳ測位機会中に送信され得る。同じキャリア周波数を使用するセルは、同期され、同じセットの時間において生じるＰＲＳ測位機会を使用し得る。これは通常、他の信号のケースでは干渉を引き起こすことになるが、任意のセルのためのＰＲＳは、その他任意の近くのセルのためのＰＲＳと干渉しない（例えば、それと直交する）ようにされ得る。これは、（i）ＬＴＥサブフレームにおける連続するＯＦＤＭシンボルにわたる周波数サブキャリアの異なるシーケンス（周波数シフトまたはｖｓｈｉｆｔと呼ばれる）、（ii）異なるＰＲＳコードシーケンス、（iii）ＰＲＳ測位機会が異なる周期的なミューティングパターンに従ってミュートされる、異なるミューティングシーケンス、および／または（iv）異なる送信時間（例えば、これは（iii）の変形であり得る）、を使用して達成され得る。
【００１４】
[0026]ＬＴＥまたは５Ｇ通信技術のケースでは、ＰＲＳはまた、例えば、基地局（例えば、ＬＴＥではｅノードＢ、または５ＧではｇＮＢ）においてアンテナアレイを使用して、ビームフォーミングすることによって別のＰＲＳと干渉しない（例えば、それと直交する）ようにされ得る。ビームフォーミングでは、信号（例えば、ＰＲＳ）は、例えば、５度または１０度の（あるいは、それより小さいまたは大きい）水平スパンをもつ方向などの、水平方向および／または垂直方向の狭い連続範囲にわたってブロードキャストされる。セル内で小さい角度範囲にわたって異なる信号を送信することは、空間多重化とも呼ばれ得る。異なるセルからのＰＲＳの干渉を抑止または阻止するために使用される他のアプローチと同様に、第１の指向性（ビームフォーミングされた）ＰＲＳは、第１の指向性ＰＲＳが送信される方向の全てが、第２の指向性ＰＲＳが送信される方向とは異なっていることを確実にすることによって、同じ基地局から送信されるいずれの他の第２の指向性ＰＲＳとも干渉しないようにされ得る。この干渉しない状態が達成されると、第１の指向性ＰＲＳについての送信の方向は、（所与の基地局からの送信のコンテキストにおいて）一意と見なされ得、また、一意であると称され得る。実際には、完全な非干渉を達成することは、サイドローブおよびバックローブの存在により、困難または不可能であり得、したがって、第１の指向性ＰＲＳは、同じ基地局によって送信される任意の第２の指向性ＰＲＳについての信号強度が、この特定の一意の方向において大幅に弱くなる（例えば、少なくとも１０デシベル（ｄＢ）分だけより弱くなる）とき、一意の方向に送信されているものと見なされ得、また、一意の方向に送信されていると称され得る。
【００１５】
[0027]指向性ＰＲＳは、一意の送信の方向に加えて、他の信号特性を有し得、これは、それが、（例えば、セルのカバレッジエリア全体にわたって送信される）他の無指向性ＰＲＳおよび別の指向性ＰＲＳとは区別されることを可能にする。これらの他の信号特性は、特定のキャリア周波数、特定の周波数シフト（またはｖｓｈｉｆｔ）、特定のＰＲＳコードシーケンス、特定のミューティングシーケンス、特定の帯域幅、および／または特定の送信時間のセットを含み得る。これらの信号特性の多くのうちの１つは、同じ基地局によっておよび／または他の近くの基地局によって送信された他の指向性ＰＲＳおよび／または他の無指向性ＰＲＳについての対応する信号特性とは異なり得る。第１の指向性ＰＲＳについての特定の第１の信号特性が、同じ基地局からおよび／または他の近くの基地局から送信されたその他任意の第２の指向性ＰＲＳについての対応する第２の信号特性とは異なるとき、第１の信号特性は、一意と見なされ得、また、一意であると称され得る。第１の指向性ＰＲＳについての２つ以上の異なる信号特性の特定の第１の組合せが、同じ基地局からおよび／または他の近くの基地局から送信されたその他任意の第２の指向性ＰＲＳについての２つ以上の対応する信号特性の第２の組合せとは異なるとき、２つ以上の信号特性の第１の組合せは、一意と見なされ得、また、一意であると称され得る。
【００１６】
[0028]一意の信号特性または信号特性の一意の組合せは、指向性ＰＲＳが、ロケーションサーバなどの位置特定対応デバイスとモバイルデバイスとの両方によって識別されることを可能にし得る。例えば、指向性ＰＲＳは、特定の一意の信号特性または信号特性の特定の一意の組合せを含み得るその信号特性に従って定義され得、さらに、ＰＲＳ  ＩＤ、送信ポイント（ＴＰ：transmission point）ＩＤまたは物理セルＩＤ（ＰＣＩ）などの識別子（ＩＤ）を割り当てられ得る。このような識別子はまた、セル全体にわたってブロードキャストされる無指向性ＰＲＳを識別するためにも使用され得、これは、指向性ＰＲＳと無指向性ＰＲＳのために、異なるタイプの識別子を定義およびインプリメントする必要性を回避し得る。所与の一意の信号特性または信号特性の所与の一意の組合せと、一意の識別子と（a given unique signal characteristic or a given unique combination of signal characteristics and a unique identifier）を有する指向性ＰＲＳを検出および測定することによって、ＵＥは、どの指向性ＰＲＳが測定されたかを認識し得るとともに（can be both aware of）、（例えば、指向性ＰＲＳについての任意の測定値が、ＵＥによって位置特定対応デバイスに提供されるとき）一意の識別子を使用して、ロケーションサーバなどの位置特定対応デバイスに対して、指向性ＰＲＳを識別し得る。
【００１７】
[0029]本明細書で説明されるインプリメンテーションは、第１の基地局または他のプロセッサベースのワイヤレスノードにおいて、モバイルデバイス（例えば、ＵＥ）の測位をサポートするための方法を含むとともに、方法は、複数の指向性ＰＲＳの各々が少なくとも１つの信号特性および送信の方向を備えている状態で(with)、第１の基地局のための少なくとも１つのセルのための複数の指向性ＰＲＳを生成することと、複数の指向性ＰＲＳの各々が送信の方向に送信されている状態で、少なくとも１つのセル内で複数の指向性ＰＲＳの各々を送信することとを含む。特定の指向性ＰＲＳについての少なくとも１つの信号特性は、その特定の指向性ＰＲＳについてのそれぞれの送信の方向を示し得る。特定の指向性ＰＲＳについての送信の方向は、水平角の連続範囲、垂直角の連続範囲、またはこれらの組合せからの一意または個別の方向であり得る。いくつかの実施形態では、少なくとも１つの信号特性は、例えば、周波数シフト、ＰＲＳコードシーケンス、ミューティングパターン、および／または送信時間のうちの１つまたは複数を含み得る。いくつかの実施形態では、少なくとも１つのセル内で複数の指向性ＰＲＳを送信することは、送信の方向に各指向性ＰＲＳをビームフォーミングするように構成された制御可能なアンテナアレイを通じて、複数の指向性ＰＲＳを方向づけることを含み得る。複数の指向性ＰＲＳのうちの少なくとも１つは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づいて、位置特定対応デバイス（これは、第１の基地局、別の基地局、モバイルデバイス、またはロケーション管理機能（ＬＭＦ）のうちの１つまたは複数であり得る）においてモバイルデバイスのロケーション決定を促進するために、モバイルデバイスによって検出可能であり得る。
【００１８】
[0030]また、本明細書では、モバイルデバイスの測位を促進するためのシステム、デバイス、方法、媒体、および他のインプリメンテーションが説明され、第１の指向性ＰＲＳが少なくとも１つの信号特性および送信の方向を備えている状態で、モバイルデバイスにおいて、第１の基地局のための少なくとも１つのセル内で第１の基地局によって送信された第１の指向性ＰＲＳを受信することと、少なくとも１つの信号特性に少なくとも部分的に基づいて、第１の指向性ＰＲＳについての少なくとも１つの第１の測定値を取得することとを備える方法を含む。方法は、少なくとも１つの第１の測定値に少なくとも部分的に基づいて、位置特定対応デバイスにおいてモバイルデバイスのロケーション決定を促進することをさらに含む。また、位置特定対応デバイスにおいて、モバイルデバイスの測位をサポートするための方法を含む、方法、システム、媒体、デバイス、および他のインプリメンテーションが開示されるとともに、方法は、第１の基地局のための少なくとも１つのセルにおいて第１の基地局によって送信された第１の指向性ＰＲＳについての、モバイルデバイスからの少なくとも１つの第１の測定値を取得することを含み、ここで、第１の指向性ＰＲＳは、少なくとも１つの信号特性および送信の方向を備える。方法は、少なくとも１つの第１の測定値および送信の方向に少なくとも部分的に基づいて、モバイルデバイスのロケーションを決定することをさらに含む。位置特定対応デバイスは、第１の基地局、別の基地局、モバイルデバイス、および／またはロケーションサーバ（ＬＭＦなど）のうちの１つまたは複数を含み得る。
【００１９】
[0031]図１は、ある実施形態による、通信システム１００の図を示す。通信システム１００は、指向性ＰＲＳ送信および受信（reception）をインプリメントするように構成され得る。ここで、通信システム１００は、ユーザ機器（ＵＥ）１０５と、次世代（ＮＧ）無線アクセスネットワーク（ＲＡＮ）（ＮＧ−ＲＡＮ）１３５および第５世代（５Ｇ）コアネットワーク（５ＧＣ）１４０を備える５Ｇネットワークの構成要素とを備える。５Ｇネットワークは、新無線（ＮＲ）ネットワークとも呼ばれ得、ＮＧ−ＲＡＮ１３５は、５Ｇ  ＲＡＮまたはＮＲ  ＲＡＮと呼ばれ得、５ＧＣ１４０は、ＮＧコアネットワーク（ＮＧＣ）と呼ばれ得る。ＮＧ−ＲＡＮと５ＧＣの標準化は、３ＧＰＰにおいて進行中である。したがって、ＮＧ−ＲＡＮ１３５および５ＧＣ１４０は、３ＧＰＰからの５Ｇサポートについての現行または将来の規格に準拠し得る。通信システム１００は、ＧＰＳ、ＧＬＯＮＡＳＳ、ガリレオ、または北斗などの全地球航法衛星システム（ＧＮＳＳ）、あるいはＩＲＮＳＳ、ＥＧＮＯＳ、またはＷＡＡＳなどの何らかの他のローカルまたは地域衛星測位システム（ＳＰＳ）のための衛星ビークル（ＳＶ）１９０からの情報をさらに利用し得る。通信システム１００の追加の構成要素が、以下で説明される。通信システム１００は、追加または代替の構成要素を含み得る。
【００２０】
[0032]図１は、様々な構成要素の一般化された例示のみを提供しており、それらのいずれかまたは全てが適宜に利用され得、その各々は、必要に応じて複製または省略され得ることに留意されたい。具体的には、１つのＵＥ１０５のみが例示されているが、多くのＵＥ（例えば、数百個、数千個、数百万個など）が通信システム１００を利用し得ることが理解されるであろう。同様に、通信システム１００は、より多くの（またはより少ない）数のＳＶ１９０、ｇＮＢ１１０、ｎｇ−ｅＮＢ１１４、ＡＭＦ１１５、外部クライアント１３０、および／または他の構成要素を含み得る。通信システム１００における様々な構成要素を接続する（connect）例示された接続は、データおよびシグナリング接続を含み、これらは、追加の（中間）構成要素、直接的または間接的な物理および／またはワイヤレス接続、および／または追加のネットワークを含み得る。さらに、構成要素は、所望の機能に依存して、再配置、組み合わせ、分離、置き換え、および／または省略され得る。
【００２１】
[0033]図１が５Ｇベースのネットワークを例示する一方で、同様のネットワークインプリメンテーションおよび構成が、３Ｇ、ロングタームエボリューション（ＬＴＥ）などといった、他の通信技術のために使用され得る。本明細書で説明されるインプリメンテーションは（それらが５Ｇ技術用であろうと、他の通信技術およびプロトコル用であろうと）、基地局（例えば、ｇＮＢ１１０、ｎｇ−ｅＮＢ１１４）から指向性ＰＲＳを送信（またはブロードキャスト）し、ＵＥ（例えば、ＵＥ１０５）において、指向性ＰＲＳを受信および測定し、指向性ＰＲＳについてのＵＥ１０５における測定値に基づいて、ＵＥ１０５、ｇＮＢ１１０、またはＬＭＦ１２０などの位置特定対応デバイスにおいて、ＵＥ１０５についてのロケーションを計算するために使用され得る。
【００２２】
[0034]ＵＥ１０５は、デバイス、モバイルデバイス、ワイヤレスデバイス、モバイル端末、端末、モバイル局（ＭＳ）、セキュアユーザプレーンロケーション（ＳＵＰＬ）対応端末（ＳＥＴ）、または何らかの他の名称によって呼ばれ得、および／またはそれらを備え得る。さらに、ＵＥ１０５は、携帯電話、スマートフォン、ラップトップ、タブレット、ＰＤＡ、追跡デバイス、ナビゲーションデバイス、モノのインターネット（ＩｏＴ）デバイス、あるいは何らかの他の携帯用または移動可能なデバイスに対応し得る。必ずしもではないが、典型的に、ＵＥ１０５は、モバイル通信のためのグローバルシステム（ＧＳＭ（登録商標））、符号分割多元接続（ＣＤＭＡ）、広帯域ＣＤＭＡ（ＷＣＤＭＡ（登録商標））、ＬＴＥ、高速パケットデータ（ＨＲＰＤ）、ＩＥＥＥ  ８０２．１１  ＷｉＦｉ（Ｗｉ−Ｆｉとも呼ばれる）、Ｂｌｕｅｔｏｏｔｈ（登録商標）（ＢＴ）、ＷｉＭＡＸ（Worldwide Interoperability for Microwave Access）、（例えば、ＮＧ−ＲＡＮ１３５および５ＧＣ１４０を使用する）５Ｇ新無線（ＮＲ）などといった、１つまたは複数の無線アクセス技術（ＲＡＴ）を使用する（using）ワイヤレス通信をサポートし得る。ＵＥ１０５はまた、例えば、デジタル加入者回線（ＤＳＬ）またはパケットケーブルを使用して他のネットワーク（例えば、インターネット）に接続し得るワイヤレスローカルエリアネットワーク（ＷＬＡＮ）を使用するワイヤレス通信をサポートし得る。これらのＲＡＴのうちの１つまたは複数の使用は、ＵＥ１０５が、（例えば、図１には示されていない５ＧＣ１４０の要素を介して、または場合によっては、ゲートウェイモバイルロケーションセンター（ＧＭＬＣ：Gateway Mobile Location Center）１２５を介して）外部クライアント１３０と通信することを可能にし、および／または、外部クライアント１３０が、（例えば、ＧＭＬＣ１２５を介して）ＵＥ１０５に関するロケーション情報を受信することを可能にし得る。
【００２３】
[0035]ＵＥ１０５は、ユーザがオーディオ、ビデオ、および／またはデータＩ／Ｏデバイス、および／またはボディセンサ、ならびに別個のワイヤラインまたはワイヤレスモデムを用い得るパーソナルエリアネットワークなどにおいて、複数のエンティティを含み得るか、または単一のエンティティを含み得る。ＵＥ１０５のロケーションの推定値は、ロケーション、ロケーション推定値、ロケーションフィックス（location fix）、フィックス、ポジション、ポジション推定値、またはポジションフィックスと呼ばれ得、地理的であり得、したがって、高度成分（例えば、標高、地表面、床面、または地下面（basement level）からの高さまたは深さ）を含むことも含まないこともあり得る、ＵＥ１０５についてのロケーション座標（例えば、緯度および経度）を提供する。代替として、ＵＥ１０５のロケーションは、都市（civic）ロケーションとして（例えば、郵便宛先または特定の部屋もしくは階などの建物内のある点もしくは小さい面積（area）の指定として）表され得る。ＵＥ１０５のロケーションはまた、ＵＥ１０５が何らかの確率または信頼性レベル（例えば、６７％、９５％など）で位置特定されることが予期される（地理的にまたは都市形式のいずれかで定義される）面積または体積（area or volume）として表され得る。ＵＥ１０５のロケーションはさらに、例えば、地理的にか、都市の用語でか、または地図、間取り図、もしくは建物平面図上で示される、ある点、面積、または体積への参照によって定義され得る既知のロケーションにおけるある原点に対して相対的に定義される相対Ｘ、Ｙ（およびＺ）座標または距離および方向を備える、相対ロケーションであり得る。本明細書に含まれる説明では、ロケーションという用語の使用は、別途示されていない限り、これらの変形のうちの任意のものを備え得る。ＵＥのロケーションを計算するとき、ローカルｘ、ｙ、および場合によってはｚ座標を求め、その後、必要に応じて、ローカル座標を、（例えば、緯度、経度、および平均海面上または平均海面下の高度についての）絶対座標に変換することが一般的である。
【００２４】
[0036]図１に示されるＮＧ−ＲＡＮ１３５における基地局（ＢＳ）は、ｇＮＢとも呼ばれるＮＲノードＢ１１０−１および１１０−２（本明細書では、総称的および一般的にｇＮＢ１１０と呼ばれる）を含む。ＮＧ−ＲＡＮ１３５におけるｇＮＢ１１０のペアは、例えば、図１に示されるように直接的にまたは他のｇＮＢ１１０を介して間接的に、互いに接続され得る。５Ｇネットワークへのアクセスは、ＵＥ１０５と、ｇＮＢ１１０のうちの１つまたは複数との間のワイヤレス通信を介してＵＥ１０５に提供され、これは、５Ｇを使用するＵＥ１０５に代わって５ＧＣへのワイヤレス通信アクセスを提供し得る。図１では、ＵＥ１０５のためのサービングｇＮＢは、ｇＮＢ１１０−１であると仮定されるが、ＵＥ１０５が別のロケーションに移動した場合、他のｇＮＢ（例えば、ｇＮＢ１１０−２）が、サービングｇＮＢとして機能し得、あるいはＵＥ１０５に追加のスルーアウトおよび帯域幅を提供するために、セカンダリｇＮＢとして機能し得る。
【００２５】
[0037]図１に示されるＮＧ−ＲＡＮ１３５における基地局（ＢＳ）はまた、ｎｇ−ｅＮＢとも呼ばれる次世代発展型ノードＢ１１４を含み得る。Ｎｇ−ｅＮＢ１１４は、例えば、図１に示されるように直接的にまたは他のｇＮＢ１１０および／または他のｎｇ−ｅＮＢを介して間接的に、ＮＧ−ＲＡＮ１３５における１つまたは複数のｇＮＢ１１０に接続され得る。ｎｇ−ｅＮＢ１１４は、ＵＥ１０５に対して、ＬＴＥワイヤレスアクセスおよび／または発展型ＬＴＥ（ｅＬＴＥ）ワイヤレスアクセスを提供し得る。図１のいくつかのｇＮＢ１１０（例えば、ｇＮＢ１１０−２）および／またはｎｇ−ｅＮＢ１１４は、ＵＥ１０５の測位を支援するための信号（例えば、指向性ＰＲＳ）を送信し得るが、ＵＥ１０５からのまたは他のＵＥからの信号を受信することができない測位専用ビーコンとして機能するように構成され得る。
【００２６】
[0038]述べられたように、図１が５Ｇ通信プロトコルに従って通信するように構成されたノードを図示する一方で、例えば、ＬＴＥプロトコルまたはＩＥＥＥ８０２．１１ｘプロトコルなどの、他の通信プロトコルに従って通信するように構成されたノードが使用され得る。例えば、ＵＥ１０５に対してＬＴＥワイヤレスアクセスを提供する発展型パケットシステム（ＥＰＳ）では、ＲＡＮは、発展型ユニバーサルモバイルテレコミュニケーションズシステム（ＵＭＴＳ）地上無線アクセスネットワーク（Ｅ−ＵＴＲＡＮ）を備え得、これは、発展型ノードＢ（ｅＮＢ）を備える基地局を備え得る。ＥＰＳのためのコアネットワークは、発展型パケットコア（ＥＰＣ）を備え得る。この場合、ＥＰＳは、Ｅ−ＵＴＲＡＮプラスＥＰＣを備え得、ここで、Ｅ−ＵＴＲＡＮは、ＮＧ−ＲＡＮ１３５に対応し、ＥＰＣは、図１の５ＧＣ１４０に対応する。本明細書で説明される、指向性ＰＲＳを使用してＵＥ１０５の測位をサポートするための方法および技法は、例えば、ｅＮＢからのおよび／またはＷｉＦｉ  ＩＥＥＥ８０２．１１アクセスポイント（ＡＰ）からの指向性ＰＲＳ送信のために、このような他のネットワークに適用可能であり得る。
【００２７】
[0039]ｇＮＢ１１０およびｎｇ−ｅＮＢ１１４は、アクセスおよびモビリティ管理機能（ＡＭＦ）１１５と通信し得、これは、測位機能のために、ロケーション管理機能（ＬＭＦ）１２０と通信する。ＡＭＦ１１５は、セル変更およびハンドオーバを含む、ＵＥ１０５のモビリティをサポートし得、ＵＥ１０５へのシグナリング接続、および場合によっては、ＵＥ１０５のためのデータおよび音声ベアラをサポートすることに参加し得る。ＬＭＦ１２０は、ＵＥがＮＧ−ＲＡＮ１３５にアクセスしたとき、ＵＥ１０５の測位をサポートし得、支援型ＧＮＳＳ（Ａ−ＧＮＳＳ）、観測到着時間差（ＯＴＤＯＡ）、リアルタイムキネマティック（ＲＴＫ：Real Time Kinematics）、精密単独測位（ＰＰＰ：Precise Point Positioning）、ディファレンシャルＧＮＳＳ（ＤＧＮＳＳ：Differential GNSS）、拡張セルＩＤ（ＥＣＩＤ）、到来角（ＡＯＡ）、放射角（ＡＯＤ）、および／または他の測位方法などの、測位プロシージャ／方法をサポートし得る。ＬＭＦ１２０はまた、例えば、ＡＭＦ１１５からまたはＧＭＬＣ１２５から受信される、ＵＥ１０５に関するロケーションサービス要求を処理し得る。ＬＭＦ１２０は、ＡＭＦ１１５および／またはＧＭＬＣ１２５に接続され得る。ＬＭＦ１２０は、ロケーションマネージャ（ＬＭ）、ロケーション機能（ＬＦ）、商用ＬＭＦ（ＣＬＭＦ：commercial LMF）、または付加価値ＬＭＦ（ＶＬＭＦ：value added LMF）などの他の名称で呼ばれ得る。いくつかの実施形態では、ＬＭＦ１２０をインプリメントするノード／システムは、追加または代替として、拡張型サービングモバイルロケーションセンター（Ｅ−ＳＭＬＣ）またはセキュアユーザプレーンロケーション（ＳＵＰＬ）ロケーションプラットフォーム（ＳＬＰ）などの、他のタイプの位置特定サポートモジュールをインプリメントし得る。いくつかの実施形態では、（ＵＥ１０５のロケーションの導出を含む）測位機能の少なくとも一部は、（例えば、ｇＮＢ１１０およびｎｇ−ｅＮＢ１１４などのワイヤレスノードによって送信された信号についての、ＵＥ１０５によって取得された信号測定値、および、例えば、ＬＭＦ１２０によって、ＵＥ１０５に提供される支援データを使用して）ＵＥ１０５において実行され得ることに留意されたい。
【００２８】
[0040]ゲートウェイモバイルロケーションセンター（ＧＭＬＣ）１２５は、外部クライアント１３０から受信されたＵＥ１０５に関するロケーション要求をサポートし得、ＡＭＦ１１５によるＬＭＦ１２０への転送（forwarding）のために、ＡＭＦ１１５にこのようなロケーション要求を転送し得、または直接ＬＭＦ１２０にロケーション要求を転送し得る。（例えば、ＵＥ１０５についてのロケーション推定値を含む）ＬＭＦ１２０からのロケーション応答が、直接的にまたはＡＭＦ１１５を介してのいずれかで、ＧＭＬＣ１２５に同様に返され得、その後、ＧＭＬＣ１２５は、外部クライアント１３０に（例えば、ロケーション推定値を含む）ロケーション応答を返し得る。ＧＭＬＣ１２５は、ＡＭＦ１１５とＬＭＦ１２０の両方に接続されて示されているが、これらの接続のうちの１つのみが、いくつかのインプリメンテーションでは、５ＧＣ１４０によってサポートされ得る。
【００２９】
[0041]図１にさらに例示されるように、ＬＭＦ１２０は、３ＧＰＰ技術仕様書（ＴＳ）３８．４５５において定義され得る新無線測位プロトコルＡ（これは、ＮＰＰａまたはＮＲＰＰａと呼ばれ得る）を使用して、ｇＮＢ１１０および／またはｎｇ−ｅＮＢ１１４と通信し得る。ＮＲＰＰａは、３ＧＰＰ  ＴＳ３６．４５５において定義されるＬＴＥ測位プロトコルＡ（ＬＰＰａ）と同じであるか、同様であるか、またはその拡張であり得るとともに、ＮＲＰＰａメッセージは、ＡＭＦ１１５を介して、ｇＮＢ１１０とＬＭＦ１２０との間で、および／またはｎｇ−ｅＮＢ１１４とＬＭＦ１２０との間で転送されている（being transferred）。図１にさらに例示されるように、ＬＭＦ１２０およびＵＥ１０５は、ＬＴＥ測位プロトコル（ＬＰＰ）を使用して通信し得、これは、３ＧＰＰ  ＴＳ３６．３５５において定義され得る。ＬＭＦ１２０およびＵＥ１０５はまた、あるいはその代わりに、新無線測位プロトコル（これは、ＮＰＰまたはＮＲＰＰと呼ばれ得る）を使用して通信し得、これは、ＬＰＰと同じであるか、同様であるか、またはその拡張であり得る。ここで、ＬＰＰおよび／またはＮＰＰメッセージは、ＡＭＦ１１５と、ＵＥ１０５のためのサービングｇＮＢ１１０−１またはサービングｎｇ−ｅＮＢ１１４とを介して、ＵＥ１０５とＬＭＦ１２０との間で転送され得る。例えば、ＬＰＰおよび／またはＮＰＰメッセージは、５Ｇロケーションサービスアプリケーションプロトコル（ＬＣＳ  ＡＰ）を使用して、ＬＭＦ１２０とＡＭＦ１１５との間で転送され得、５Ｇ非アクセスストラタム（ＮＡＳ）プロトコルを使用して、ＡＭＦ１１５とＵＥ１０５との間で転送され得る。ＬＰＰおよび／またはＮＰＰプロトコルは、Ａ−ＧＮＳＳ、ＲＴＫ、ＯＴＤＯＡ、および／またはＥＣＩＤなどのＵＥ支援型および／またはＵＥベースの測位方法を使用して、ＵＥ１０５の測位をサポートするために使用され得る。ＮＲＰＰａプロトコルは、（例えば、ｇＮＢ１１０またはｎｇ−ｅＮＢ１１４によって取得される測定値とともに使用されるとき）ＥＣＩＤなどのネットワークベースの測位方法を使用して、ＵＥ１０５の測位をサポートするために使用され得、および／または、ｇＮＢ１１０および／またはｎｇ−ｅＮＢ１１４からの指向性ＰＲＳ送信を定義するパラメータなどの、ｇＮＢ１１０および／またはｎｇ−ｅＮＢ１１４からのロケーション関連情報を取得するために、ＬＭＦ１２０によって使用され得る。
【００３０】
[0042]ＵＥ支援型測位方法では、ＵＥ１０５は、ロケーション測定値を取得し、ＵＥ１０５についてのロケーション推定値の計算のために、ロケーションサーバ（例えば、ＬＭＦ１２０）に測定値を送り得る。例えば、ロケーション測定値は、ｇＮＢ１１０、ｎｇ−ｅＮＢ１１４、および／またはＷＬＡＮ  ＡＰについての、受信信号強度インジケーション（ＲＳＳＩ）、往復信号伝搬時間（ＲＴＴ）、基準信号時間差（ＲＳＴＤ）、基準信号受信電力（ＲＳＲＰ）、および／または基準信号受信品質（ＲＳＲＱ）のうちの１つまたは複数を含み得る。ロケーション測定値はまた、あるいはその代わりに、ＳＶ１９０についてのＧＮＳＳ疑似距離、コード位相、および／またはキャリア位相の測定値を含み得る。ＵＥベースの測位方法では、ＵＥ１０５は、ロケーション測定値（例えば、これは、ＵＥ支援型測位方法についてのロケーション測定値と同じまたは同様であり得る）を取得し得、（例えば、ＬＭＦ１２０などのロケーションサーバから受信された、あるいはｇＮＢ１１０、ｎｇ−ｅＮＢ１１４、もしくは他の基地局またはＡＰによってブロードキャストされた支援データの助けを得て）ＵＥ１０５のロケーションを計算し得る。ネットワークベースの測位方法では、１つまたは複数の基地局（例えば、ｇＮＢ１１０および／またはｎｇ−ｅＮＢ１１４）またはＡＰは、ロケーション測定値（例えば、ＵＥ１０５によって送信された信号についてのＲＳＳＩ、ＲＴＴ、ＲＳＲＰ、ＲＳＲＱ、または到着時間（ＴＯＡ）の測定値）を取得し得、および／またはＵＥ１０５によって取得された測定値を受信し得、およびＵＥ１０５についてのロケーション推定値の計算のために、ロケーションサーバ（例えば、ＬＭＦ１２０）に測定値を送り得る。
【００３１】
[0043]ＮＲＰＰａを使用して、ＬＭＦ１２０にｇＮＢ１１０および／またはｎｇ−ｅＮＢ１１４によって提供される情報は、ロケーション座標および指向性ＰＲＳ送信についてのタイミングおよび構成情報を含み得る。その後、ＬＭＦ１２０は、ＮＧ−ＲＡＮ１３５および５ＧＣ１４０を介して、ＬＰＰおよび／またはＮＰＰメッセージにおける支援データとして、ＵＥ１０５にこの情報の一部または全てを提供し得る。
【００３２】
[0044]ＬＭＦ１２０からＵＥ１０５に送られるＬＰＰまたはＮＰＰメッセージは、所望の機能に依存して、ＵＥ１０５に、様々なことのうちのいずれかを行うように指示し得る。例えば、ＬＰＰまたはＮＰＰメッセージは、ＵＥ１０５がＧＮＳＳ（またはＡ−ＧＮＳＳ）、ＷＬＡＮ、および／またはＯＴＤＯＡ（または何らかの他の測位方法）についての測定値を取得するための命令を含み得る。ＯＴＤＯＡのケースでは、ＬＰＰまたはＮＰＰメッセージは、ＵＥ１０５に、特定のｇＮＢ１１０および／またはｎｇ−ｅＮＢ１１４によってサポートされる（または、ｅＮＢまたはＷｉＦｉ  ＡＰなどの何らかの他のタイプの基地局によってサポートされる）特定のセル内で送信されたＰＲＳ信号および／または指向性ＰＲＳ信号の１つまたは複数の測定値（例えば、ＲＳＴＤ測定値）を取得するように指示し得る。ＵＥ１０５は、サービングｇＮＢ１１０−１（またはサービングｎｇ−ｅＮＢ１１４）およびＡＭＦ１１５を介して、（例えば、５Ｇ  ＮＡＳメッセージ内で）ＬＰＰまたはＮＰＰメッセージにおいて、測定値をＬＭＦ１２０に送り返し得る。
【００３３】
[0045]述べられたように、通信システム１００が５Ｇ技術に関連して説明される一方で、通信システム１００は、（例えば、音声、データ、測位、および他の機能をインプリメントするために）ＵＥ１０５などのモバイルデバイスをサポートしおよびそれとインタラクトするために使用される、ＧＳＭ、ＷＣＤＭＡ、ＬＴＥなどといった他の通信技術をサポートするためにインプリメントされ得る。いくつかのこのような実施形態では、５ＧＣ１４０は、異なるエアインターフェースを制御するように構成され得る。例えば、いくつかの実施形態では、５ＧＣ１４０は、５ＧＣ１５０における非３ＧＰＰインターワーキング機能（Ｎ３ＩＷＦ、図１に図示せず）を使用して、ＷＬＡＮに接続され得る。例えば、ＷＬＡＮは、ＵＥ１０５のためのＩＥＥＥ８０２．１１ＷｉＦｉアクセスをサポートし得、１つまたは複数のＷｉＦｉ  ＡＰを備え得る。ここで、Ｎ３ＩＷＦは、ＷＬＡＮに、およびＡＭＦ１１５などの５ＧＣ１５０における他の要素に接続し得る。いくつかの他の実施形態では、ＮＧ−ＲＡＮ１３５と５ＧＣ１４０との両方が、他のＲＡＮおよび他のコアネットワークによって置き換えられ得る。例えば、ＥＰＳでは、ＮＧ−ＲＡＮ１３５は、ｅＮＢを含むＥ−ＵＴＲＡＮによって置き換えられ得、５ＧＣ１４０は、ＡＭＦ１１５の代わりにモビリティ管理エンティティ（ＭＭＥ）を含むＥＰＣと、ＬＭＦ１２０の代わりにＥ−ＳＭＬＣと、ＧＭＬＣ１２５と同様であり得るＧＭＬＣとを含むＥＰＣによって置き換えられ得る。このようなＥＰＳでは、Ｅ−ＳＭＬＣは、Ｅ−ＵＴＲＡＮにおけるｅＮＢにロケーション情報を送り、また、それからロケーション情報を受信するために、ＮＲＰＰａの代わりにＬＰＰａを使用し得、ＵＥ１０５の測位をサポートするためにＬＰＰを使用し得る。これらの他の実施形態では、指向性ＰＲＳを使用したＵＥ１０５の測位は、ｇＮＢ１１０、ｎｇ−ｅＮＢ１１４、ＡＭＦ１１５、およびＬＭＦ１２０について本明細書で説明される機能およびプロシージャが、いくつかのケースでは、代わりに、ｅＮＢ、ＷｉＦｉ  ＡＰ、ＭＭＥ、およびＥ−ＳＭＬＣなどの他のネットワーク要素に適用され得るという違いを伴って、５Ｇネットワークについて本明細書で説明されるものと類似の方法でサポートされ得る。
【００３４】
[0046]述べられたように、いくつかの実施形態では、測位機能は、少なくとも部分的に、そのポジションが決定されるべきであるＵＥ（例えば、図１のＵＥ１０５）の範囲内にある基地局（ｇＮＢ１１０および／またはｎｇ−ｅＮＢ１１４など）によって送られた、ＰＲＳ送信および／または指向性ＰＲＳ送信を使用してインプリメントされ得る。ＵＥは、いくつかの事例では、ＵＥのポジションを計算するために、複数の基地局（例えば、ｇＮＢ１１０、ｎｇ−ｅＮＢ１１４など）からのダウンリンク無線信号（例えば、指向性ＰＲＳ送信）の到着時間の差を使用し得る。例えば、ある基地局からの信号が時間ｔ１において受信され、別の基地局からの信号が時間ｔ２において受信された場合には、ＯＴＤＯＡまたはＲＳＴＤは、ｔ２−ｔ１に従って計算され得る。
【００３５】
[0047]図２は、３個（３つ）のセルセクタＡ（セクタ２１０としてマークされる）、Ｂ（セクタ２２０としてマークされる）、およびＣ（セクタ２３０としてマークされる）をサポートする基地局２０２（小さい黒丸で表される）における指向性ＰＲＳ送信（またはＰＲＳビームフォーミング）の例となる構成２００を例示する。基地局２０２は、図１のｇＮＢ１１０またはｎｇ−ｅＮＢ１１４の任意のものと同様または同じであり得、あるいは何らかの他の基地局（例えば、ｅＮＢ）またはＷｉＦｉ  ＡＰであり得る。各セルセクタ（本明細書ではセルとも呼ばれる）は、図２の例となる例示では、１２０度の中心角をもつ円セクタであるカバレッジエリアを有する。図２の例では、各セルセクタ内では、６個（６つ）の別個の指向性ＰＲＳ信号が、それぞれ２０度の中心角をもつ（ほぼ）非重複である円セクタ上でブロードキャストされ得る。基地局２０２のためにインプリメントされるアンテナ構成に基づいて制御され得るビーム幅およびビーム形状特性を有する、指向性ＰＲＳ信号についての他のセクタ構成および按分（apportionment）が実現され得る。図２の別個の指向性ＰＲＳ信号は、Ａｎ、Ｂｎ、およびＣｎとラベル付けされ、ここで、この例では、１≦ｎ≦６である。（例えば、ＵＥおよび／またはロケーションサーバが、どの指向性ＰＲＳ信号をＵＥが測定しているかを決定し得るように）別個の指向性ＰＲＳ信号Ａｎ、ＢｎおよびＣｎを区別するために、および／または干渉を低減させるために、指向性ＰＲＳ信号は、例えば、各指向性ＰＲＳに、異なる（または一意の）ｖｓｈｉｆｔ値、異なる（または一意の）ＰＲＳコードシーケンス、異なる（または一意の）ミューティングパターン、異なる（または一意の）送信時間のセット、またはこれらの信号特性のうちの２つ以上の、異なる（または一意の）組合せを割り当てることによって、先に説明されたように様々な方法で直交するようにされ得る。
【００３６】
[0048]図２に示される指向性ＰＲＳは、水平面において２０度のカバレッジを有する各円セクタ内の水平角（または水平方向）の連続範囲にそれぞれ及ぶ。図２に示される各指向性ＰＲＳはまた、０度（これは、水平方向と一致し得る）から２０度（これは、水平に対して２０度の角度に上昇した方向と一致し得る）までの範囲にある仰角である角度などの、垂直角（または垂直方向）の連続的であるが制限された範囲に及び得る。さらに、図２に示される水平角と同じ範囲を共有し得るが、垂直角の異なる範囲を有し得る、図２には示されていない他の指向性ＰＲＳ信号が存在し得る。例として、図２に示される各指向性ＰＲＳについては、０度から２０度の間の仰角を有する１つの指向性ＰＲＳ（図２に図示される）と、２０度から４０度の間の仰角を有するもう１つの指向性ＰＲＳ（図２に図示せず）と、４０度から６０度の間の仰角を有する３つ目の指向性ＰＲＳ（図２に図示せず）とが存在し得、ここで、これらの指向性ＰＲＳの各々は、水平角の同じ範囲を有する。別の例では、指向性ＰＲＳ信号は、水平方向に指向性ではない場合がある（例えば、特定のセルのカバレッジエリア全体にわたって送信され得る）が、垂直角の異なる範囲を有し得る。基地局２０２のためのアンテナアレイによって送信される指向性ＰＲＳ信号の制御は、例えば、信号を送信するために、基地局２０２のアンテナアレイの個々のアンテナ（または個々のアンテナ素子）を選択すること、アレイの様々な選択されたアンテナ（またはアンテナ素子）を通じて方向づけられる信号の相対位相および振幅を制御することなどによって行われ得る。
【００３７】
[0049]任意のセルセクタＰ（例えば、ここでＰは、図２において、Ａ、Ｂ、またはＣのうちの１つを表す）における指向性ＰＲＳ信号Ｐｎを処理するための１つの便利な方法が、異なる送信機または異なるセルに対応するとして、例えば、各指向性ＰＲＳ信号Ｐｎが、セルセクタＰのための個別のリモートラジオヘッドに関連付けられたアンテナなどの異なるアンテナによって送信されるかのように、各指向性ＰＲＳを処理することであり得る。この場合、指向性ＰＲＳ信号Ｐｎは、指向性ＰＲＳ信号Ｐｎについての個別のｖｓｈｉｆｔおよび／または個別のＰＲＳコードシーケンスに関連付けられた個別のＰＲＳ  ＩＤが割り当てられ得る。いくつかの実施形態では、指向性ＰＲＳ信号は、個別の送信ポイントＩＤが割り当てられ得る。ＵＥ１０５によるＬＴＥアクセスの場合、これは、ロケーションサーバ（例えば、Ｅ−ＳＭＬＣ、ＳＵＰＬ  ＳＬＰ、またはＬＭＦ１２０などのＬＭＦ）が、ＬＰＰにおける既存の能力を使用して、指向性ＰＲＳ信号Ｐｎについての支援データをＵＥ１０５に提供することを可能にするであろう。支援データは、ＵＥ１０５に、指向性ＰＲＳ信号の存在ならびに各指向性ＰＲＳ信号についての信号特性および他のパラメータ（例えば、ＰＲＳ  ＩＤ、送信ポイントＩＤ、キャリア周波数、帯域幅、測位機会周期性およびサブフレーム数、ミューティングパターン、予期されるＲＳＴＤ測定値など）を認識させ得、ＵＥ１０５が、ＯＴＤＯＡ測位のためにＲＳＴＤ測定値を作成すること（make RSTD measurements）を可能にする。ロケーションサーバが、（既にＬＰＰにおいてサポートされている）セルセクタＰについての個別の分散型アンテナシステム（ＤＡＳ：Distributed Antenna System）アンテナまたは個別のラジオヘッドによって送信されるＰＲＳと同じように、各指向性ＰＲＳ  Ｐｎを処理し得るので、このサポートは、ＬＰＰ（またはＮＰＰ）に対するいかなる変更も必要なくなり得る。
【００３８】
[0050]いくつかの実施形態では、２つ以上の異なる指向性ＰＲＳ信号Ｐｎが、基地局２０２によって同時にではあるが、ＵＥ１０５によって、任意の１つのＰＲＳ信号Ｐｉが、任意の他のＰＲＳ信号Ｐｊと区別されることを可能にする方法で（例えば、異なる周波数、異なる周波数シフト、または異なるＰＲＳコードシーケンスを使用することによって）送信され得る。別の実施形態では、１つのＰＲＳ信号は、基地局２０２によって、ビームフォーミングを使用して、異なる非重複時間において異なる方向に、１つのセル（例えば、セルＡ、Ｂ、またはＣ）において送信され得る。例えば、図２のセルセクタＡのための基地局２０２は、時間インターバルＴ１の間、指向性ＰＲＳ  Ａ１と一致する方向にビームフォーミングを使用して指向性ＰＲＳ信号を送信し得、その後、時間インターバルＴ２の間、指向性ＰＲＳ  Ａ２と一致するように（to coincide with）、ＰＲＳ信号送信の方向を変更し得、次いで、時間インターバルＴ３、Ｔ４、Ｔ５、およびＴ６の間、それぞれ、指向性ＰＲＳ信号Ａ３、Ａ４、Ａ５、およびＡ６と一致するように、指向性ＰＲＳ信号送信の方向を変更し得る。時間インターバルＴ１、Ｔ２、．．．Ｔ６が実質的に非重複である場合、指向性ＰＲＳ信号が測定された時間インターバルが取得され、既知の送信インターバルＴ１、Ｔ２、．．．Ｔｎと比較され得る場合には、ＵＥ１０５がどの指向性ＰＲＳ信号を測定したかに関する曖昧さは存在し得ない。さらに、指向性ＰＲＳ送信の角度がセルにおいて変更される順序は変化し得、例えば、（ある基準点または基準線に対する送信の）角度は、異なるＰＲＳ信号Ａ１、Ａ２、．．．Ａ６の任意の順列（permutation）に対応するように変更される。例えば、一実施形態では、基地局２０２は、サイクリックな方法（in a cyclic manner）で（例えば、指向性ＰＲＳ信号をＡ１、Ａ２、．．．Ａ６の順序でまたは逆の順序で送信することによって）指向性ＰＲＳ送信の角度を変更し得、および／または（例えば、指向性ＰＲＳ信号をＡ１、Ａ２、．．．Ａ６に続いて、Ｂ１、Ｂ２、．．．Ｂ６、そしてその次にＣ１、Ｃ２、．．．Ｃ６の順序で送信することによって）指向性ＰＲＳ送信を円状に回転させ得る。セルセクタＡのためのＰＲＳ信号を測定するＵＥ１０５は、指向性ＰＲＳ信号の集まりとして含まれるタイミング情報、またはセルセクタＡのために送信された別の信号（例えば、無指向性セル固有基準信号）を使用して別個に送られたタイミング情報を使用してか、あるいは図２のセルセクタＢもしくはセルセクタＣなどの異なるセルＳまたは、セルセクタＡ、Ｂ、およびＣと異なる場合、ＵＥ１０５のためのサービングセルによって提供されるタイミングを使用して時間を取得することによって、測定時間（time of measurement）を決定し得る。後者のケースでは、セルＡとＳとの間のタイミング差が（例えば、ＧＰＳまたはＧＮＳＳを使用してセルＡとＳの送信タイミングを同期させること、あるいはＧＰＳまたはＧＮＳＳに対する（relative to）セルＡおよびＳの送信タイミングを決定することにより）既知である場合、セルＳに対する指向性ＰＲＳ信号についての測定時間は、セルセクタＡに対する測定時間、したがって、どの指向性ＰＲＳ信号が測定されたかを��定するために使用され得る。
【００３９】
[0051]指向性ＰＲＳ信号がＵＥ１０５についてのロケーション決定（例えば、ＯＴＤＯＡ測位を実行すること）のために利用され得るいくつかの方法が存在する。第１の例では、指向性ＰＲＳ信号は、ＵＥ１０５のロケーションに関する直接的な情報（direct information）を取得するために使用され得る。例えば、ＵＥ１０５が図２の指向性ＰＲＳ  Ａ５を受信および測定することが可能である場合、ＵＥ１０５は、指向性ＰＲＳ  Ａ５のカバレッジエリア内にあり、セルセクタＡのカバレッジエリアにおける他の場所にはないと決定される。これは、ＵＥロケーションの精度を改善するために使用され得る。
【００４０】
[0052]図３Ａは、ロケーション決定機能のための指向性（ビームフォーミングされた）ＰＲＳ信号の使用を例示する図３００を示す。この例では、ＵＥ１０５（図示せず）は、例えば、図２のＰＲＳ  Ａ５としてマークされた指向性ＰＲＳ信号を測定または検出する。ＵＥ１０５はまた、セルセクタＡとは異なるアンテナロケーションを有する別のセルＤから送信された別の指向性ＰＲＳ信号、すなわち、指向性ＰＲＳ  Ｄ２を測定／検出し得る。例えば、セルＤは、図１のｇＮＢ１１０（またはｎｇ−ｅＮＢ１１４）によってサポートされ得、これは、セルセクタＡをサポートするｇＮＢ１１０とは異なり得る。この場合、ＵＥ１０５は、図３Ａに示されるように、２つの指向性ＰＲＳビームの交差領域３１０内にあると推論され得る。図３Ａの例は、放射角（ＡＯＤ）測位方法に基づく測位と呼ばれ得る。
【００４１】
[0053]図３Ａによるロケーション決定は、セルＡおよびＤのための基地局アンテナのロケーションと、指向性ＰＲＳ  Ａ５およびＤ２の正確な方向とを知っている位置特定対応デバイスにおいて実行され得る。例えば、位置特定対応デバイスは、セルＡのための基地局、セルＤのための基地局、ＬＭＦ１２０、または（例えば、ＵＥ１０５が、サービング基地局またはＬＭＦ１２０などの別のエンティティによって指向性ＰＲＳの正確な方向ならびにセルＡおよびＤのための基地局アンテナのロケーションを提供される場合）ＵＥ１０５であり得る。
【００４２】
[0054]図３Ｂは、ロケーション決定機能を促進するために指向性ＰＲＳ信号を使用することの別の例となるインプリメンテーションを示す図３２０を含む。図３Ｂの例では、ＵＥ１０５（図示せず）は、図２のＰＲＳ  Ａ５を測定／検出する。ここで、ＵＥ１０５および／またはセルＡのためのｇＮＢ１１０（または、ｎｇ−ｅＮＢ１１４などの何らかの他のワイヤレスノード）が、ＵＥ１０５とセルＡのためのアンテナとの間の信号伝搬時間または往復信号伝搬時間（ＲＴＴ）を測定する。ＲＴＴが、測定された値２Ｔプラスマイナス不確実性Ｕを有する場合、ＵＥとセルＡのためのアンテナとの間の距離は、不確実性（Ｕｃ）を伴う（Ｔｃ）によって、ここで、ｃは、光速であり、および見通し線（ＬＯＳ）送信を仮定して、与えられる。この例では、ＵＥ１０５によって検出された特定の指向性ＰＲＳの識別情報と、測定されたタイミング情報（例えば、ＲＴＴ）とに基づいて、ＵＥ１０５が図３Ｂに図示される領域３３０内に位置するという決定が行われ得る。図３Ｂの例は、拡張セルＩＤ（ＥＣＩＤ）に基づく測位と呼ばれ得る。
【００４３】
[0055]図３Ｂによるロケーション決定は、セルＡのための基地局アンテナのロケーションと、指向性ＰＲＳ  Ａ５の正確な方向と、測定されたＲＴＴおよびその不確実性とを知っている、位置特定対応デバイスにおいて実行され得る。例えば、位置特定対応デバイスは、セルＡのための基地局、ＬＭＦ１２０、または（例えば、ＵＥ１０５が、セルＡのための基地局などの別のエンティティによって、セルＡのための基地局アンテナのロケーション、指向性ＰＲＳ  Ａ５の正確な方向、およびオプションとして、ＲＴＴ決定を支援するための情報を提供される場合）ＵＥ１０５であり得る。
【００４４】
[0056]さらなる例となるインプリメンテーションでは、指向性（ビームフォーミングされた）ＰＲＳは、マルチパス信号の測定値による誤差／不正確な測位を軽減するために使用され得る。マルチパスでは、セルにおいて送信される信号は、１つまたは複数の表面、物体（例えば、建物の壁および屋根）、または物質（例えば、水、空気）からの反射、屈折、および／または散乱を被り得、これにより、ＵＥによって受信される信号は、見通し線（ＬＯＳ）信号ではなく、ＵＥのＬＯＳにあることもないこともあるソースから送信された信号の何らかのリダイレクションになり得る。これは、通常、任意のＬＯＳ信号と比較してＵＥへの信号伝搬時間を増大させ、ＯＴＤＯＡなどの時間ベースの測位方法における誤差をもたらすことになる。
【００４５】
[0057]図４は、基地局４１０によってサポートされるセルにおけるＵＥ４２０に到達する２つの信号、すなわち、Ｓ１（信号４１２としてマークされる）およびＳ２（信号４１４としてマークされる）を例示する図４００を含む。ＵＥ４２０は、図１のＵＥ１０５と同様または同じであり得る。基地局４１０は、図１のｇＮＢ１１０またはｎｇ−ｅＮＢ１１４の任意のものと、またはＬＴＥ通信をサポートするｅＮＢなどの何らかの他の基地局と同様または同じであり得、あるいは、何らかの他のノードまたはアクセスポイントであり得る。図４に図示される例では、信号Ｓ１は、基地局４１０から直接受信されるＬＯＳ信号であり、一方、信号Ｓ２は、基地局４１０から発信された信号４１６の反射から生じた、非ＬＯＳ（ＮＬＯＳ）信号とも呼ばれるマルチパス信号である。マルチパス（ＮＬＯＳ）信号Ｓ２は、完全に直線に沿ってＵＥへ進むわけではないので、それは、図４に示されるように、典型的に、最初はセルアンテナから信号Ｓ１とは異なる方向に進むことになる。したがって、セルが指向性ＰＲＳを使用している場合、信号Ｓ１およびＳ２は、典型的に、（例えば、ビーム角が十分に狭い場合）異なる指向性ＰＲＳ信号に対応することになる。例えば、基地局４１０によってサービス提供されるセルが図２のセルＡに対応する場合、かつ、信号Ｓ１が指向性ＰＲＳ信号Ａ３に対応する場合、信号Ｓ２は、Ａ２またはＡ４などの別の指向性ＰＲＳに対応し得る。したがって、ＵＥ４２０のおおよそのロケーションを知っているロケーションサーバ（またはＵＥ４２０）は、信号Ｓ１についてのみ支援データを提供することによって、ＵＥ４２０に信号Ｓ１（例えば、図２の指向性ＰＲＳ  Ａ３）を測定するように指示する（direct）が、ＵＥ４２０に信号Ｓ２（例えば、図２の指向性ＰＲＳ  Ａ２またはＡ４）を測定するように指示しないことができる。これは、ＵＥ４２０がマルチパス信号を測定することを阻止または抑止し、ＬＯＳ信号を測定するチャンスを改善することになる。いくつかの実施形態では、異なる指向性ＰＲＳ信号が、異なる（または一意の）信号特性（例えば、異なるＰＲＳ  ＩＤ、異なる周波数シフト（ｖｓｈｉｆｔ）、異なるＰＲＳコードシーケンス、異なるミューティングパターン、異なる送信時間など）に関連付けられ得るので、ＵＥ４２０は、したがって、（図４の信号Ｓ１  ４１２または図２の信号Ａ３などの）予期されるＬＯＳ指向性ＰＲＳ信号に関連付けられた、何らかの特定の信号特性値（例えば、特定のＰＲＳコードシーケンスまたは特定のｖｓｈｉｆｔ値）または信号特性値の何らかの特定の組合せ（例えば、特定のＰＲＳコードシーケンス値と特定のｖｓｈｉｆｔ値）に関連付けられた指向性ＰＲＳ信号を測定するように構成され得る。しかしながら、ＵＥ４２０は、何らかの他の信号特性値または信号特性値の何らかの他の組合せに関連付けられた、ＬＯＳでないことが予期される指向性ＰＲＳ信号（例えば、図２の指向性ＰＲＳ  Ａ２またはＡ４）を測定するように構成されない場合がある（または測定しないように構成され得る）。
【００４６】
[0058]別の態様では、ＵＥ１０５は、ＵＥ１０５が、ある特定の方向から到来する信号を選択的に受信および測定し、他の方向から到来する信号をフィルタで除去および無視することを可能にする、複数のアンテナ（例えば、アンテナアレイ）を有し得る。ロケーションサーバ（例えば、ＬＭＦ１２０）は、ＵＥ１０５にＬＯＳ信号Ｓ１  ４１２についての送信の方向を提供し得るが、ＮＬＯＳ信号Ｓ２  ４１４／４１６についての情報を提供しない場合がある。この場合、ＵＥ１０５は、信号Ｓ１と同じ送信の方向を有する信号を受信および測定するために、複数のアンテナ（例えば、アンテナアレイ）を使用し得、これは、ＵＥ１０５が、信号Ｓ１についてのＴＯＡまたはＲＳＴＤ（または他の信号特性）を測定することを可能にし得る。特定の送信の方向に受信をチューニングする（tune）ために、ＵＥ１０５において複数のアンテナまたはアンテナアレイを使用することは、他の信号（信号Ｓ２など）からの信号Ｓ１への干渉を低減させ得、ＵＥ１０５による信号Ｓ１の改善された捕捉と、より高い測定精度とを可能にし得る。
【００４７】
[0059]指向性（ビームフォーミングされた）ＰＲＳ信号はまた、ロケーションサーバ（またはＵＥ４２０）がＵＥ４２０のおおよそのロケーションを有していないか、またはＵＥ４２０にＬＯＳ信号のみについての情報を提供しない（does not provide information to the UE 420 for only LOS signals）状況において、マルチパスの影響を軽減するために使用され得る。このケースでは、ロケーションサーバ（またはＵＥ４２０）は、（図４の信号Ｓ２  ４１４などの）マルチパス信号についてのＵＥ４２０からのいくつかの測定値（例えば、ＯＴＤＯＡ  ＲＳＴＤ測定値）ならびに（図４の信号Ｓ１  ４１２などの）ＬＯＳ信号についての測定値（例えば、ＯＴＤＯＡ  ＲＳＴＤ測定値）を受信（または取得）し得る。ロケーションサーバ（またはＵＥ４２０）は、ＵＥ４２０によって提供（または取得）された全ての測定値を使用して、ＵＥ４２０についての初期ポジションを取得し得る。その後、ロケーションサーバ（またはＵＥ４２０）は、そのカバレッジエリアが決定されたロケーションを含まない指向性ＰＲＳ信号を識別し、それらの信号をマルチパス信号として暫定的に識別し得る。その後、ロケーションサーバ（またはＵＥ４２０）は、マルチパス信号として識別されていない信号についての測定値のみを使用して、ＵＥ４２０のロケーションを再決定し得る。このプロセスは、そのカバレッジエリアが新しいロケーションを含まない指向性ＰＲＳ信号を再び識別し、それらをマルチパス信号として処理することによって繰り返され得る。最初に暫定的にマルチパス信号として識別された指向性ＰＲＳ信号は、新しいＵＥ４２０のロケーションが現時点ではそれらのカバレッジエリア内にある場合、もはやマルチパス信号として識別される必要がなくなり得る。この例となるプロシージャの変形がまた、ロケーション決定プロシージャが、初期の（および任意の後続の）ＵＥ４２０のロケーションを決定するために、指向性情報ならびにＲＳＴＤ測定値を使用する状況において使用され得る。
【００４８】
[0060]別の態様では、ＵＥ４２０は、指向性ＰＲＳについての到来角（ＡＯＡ）ならびにＴＯＡおよび／またはＲＳＴＤなどの他の特性を測定し得る。ＵＥ４２０により測定されたＡＯＡが、測定された指向性ＰＲＳについての送信の方向と一致する（例えば、それに等しい、またはそれにほぼ等しい）場合、ＵＥ４２０またはＥ−ＳＭＬＣもしくはＬＭＦ１２０などの位置特定対応デバイスは、ＵＥ４２０によって測定された指向性ＰＲＳが、ＬＯＳである（例えば、図４の信号Ｓ１  ４１２などである）と仮定し得る。逆に、ＵＥ４２０により測定されたＡＯＡが、測定された指向性ＰＲＳについての送信の方向と一致しない（例えば、それに等しくない、およびそれにほぼ等しくない）場合、ＵＥ４２０またはＥ−ＳＭＬＣもしくはＬＭＦ１２０などの位置特定対応デバイスは、ＵＥ４２０によって測定された指向性ＰＲＳが、ＮＬＯＳまたはマルチパスである（例えば、図４の信号Ｓ２  ４１４／４１６などである）と仮定し得る。
【００４９】
[0061]図３Ａ、図３Ｂ、および図４を参照して（部分的に）説明された上記の例となる実施形態は、例えば、ＵＥ１０５が、ＵＥ１０５のロケーションの決定のために、ｇＮＢ１１０、ｎｇ−ｅＮＢ１１４、またはＬＭＦ１２０などの位置特定対応デバイスに指向性ＰＲＳの測定値を提供するとき、ＵＥ支援型ＯＴＤＯＡのためのＵＥ１０５についてのロケーション決定を改善するために使用され得る。実施形態はまた、例えば、ネットワーク（例えば、ｇＮＢ１１０またはｎｇ−ｅＮＢ１１４）またはロケーションサーバ（例えば、ＬＭＦ１２０）が、ＵＥ１０５に指向性ＰＲＳに関する情報（例えば、指向性ＰＲＳの送信方向および信号特性）ならびに基地局座標および他のＰＲＳパラメータを提供するとき、ＵＥベースのＯＴＤＯＡのためのＵＥ１０５についてのロケーション決定を改善するために使用され得る。例えば、ＵＥ支援型ＯＴＤＯＡまたはＵＥベースのＯＴＤＯＡのいずれかの場合、図１の通信システム１００におけるｇＮＢ１１０またはｎｇ−ｅＮＢ１１４は、このｇＮＢ１１０またはｎｇ−ｅＮＢ１１４によって送信される指向性ＰＲＳ、および場合によっては、他の近くのｇＮＢ１１０および／またはｎｇ−ｅＮＢ１１４によって送信される指向性ＰＲＳについての情報をブロードキャストし得る。
【００５０】
[0062]図５は、図１へのさらなる参照とともに、ＵＥ１０５と、ＬＭＦ１２０に対応するロケーションサーバとの間のＬＰＰおよび／またはＮＰＰを使用する位置特定セッション（ＬＰＰ／ＮＰＰセッションとも呼ばれる）中に、図１に図示される通信システム１００などの通信ネットワークの構成要素間で送られる様々なメッセージを例示するシグナリングフロー５００を示す。シグナリングフロー５００が、例示を簡単にするために、５Ｇ通信ネットワークのインプリメンテーションに関連して説明される一方で、同様のメッセージングが、他の通信技術またはプロトコル（ＥＰＳまたはＷＬＡＮなど）のために実現され得る。さらに、いくつかの実施形態では、ＵＥ１０５自体が、そのロケーションを、例えば、（例えば、ＬＭＦ１２０によって、またはサービングｇＮＢ１１０−１によって）それに提供される支援データを使用して決定するように構成され得る。シグナリングフロー５００のために使用される測位プロトコルは、ＬＰＰ、ＮＰＰ、または（例えば、ＬＰＰメッセージが、埋め込まれたＮＰＰメッセージを含む）ＮＰＰと組み合わされたＬＰＰであり得る。したがって、測位プロトコルのためのメッセージは、メッセージがＬＰＰ、ＮＰＰ、またはＮＰＰと組み合わされたＬＰＰのためのものであることを示すために、以下ではＬＰＰ／ＮＰＰメッセージと呼ばれる。しかしながら、オープンモバイルアライアンス（ＯＭＡ：Open Mobile Alliance）によって定義されたＬＰＰ拡張（ＬＰＰｅ：LPP Extensions）プロトコルなどの他の測位プロトコルもまた可能である。
【００５１】
[0063]いくつかの実施形態では、アクション５０１において、ＬＭＦ１２０がＵＥ１０５に関するロケーション要求を受信したとき、ＵＥ１０５のための位置特定セッションがトリガされ得る。シナリオに依存して、ロケーション要求は、図１に図示されるＡＭＦ１１５からまたはＧＭＬＣ１２５から、ＬＭＦ１２０に届き得る。その後、ＬＭＦ１２０は、ＵＥ１０５に関する情報についてＡＭＦ１１５をクエリし得る。その後、ＡＭＦ１１５は、ＬＭＦ１２０にＵＥ１０５についての情報を送り得る（図５に図示せず）。情報は、（図５の例となる実施形態の場合）ＵＥ１０５が５Ｇ（またはＬＴＥまたはｅＬＴＥ）ワイヤレスアクセスを有することを示し得、ＵＥ１０５についての現在の５Ｇサービングセル（例えば、ＵＥ１０５のためのサービングｇＮＢであり得るｇＮＢ１１０−１によってサポートされるセル）を提供し得、および／または、ＵＥ１０５がＬＰＰおよび／またはＮＰＰを使用する位置特定をサポートすることを示し得る。この情報の一部または全ては、例えば、ＵＥ１０５が５ＧＣ１４０に接続し（attaches to）、それに登録したときに、ＵＥ１０５からおよび／またはｇＮＢ１１０−１から、ＡＭＦ１１５によって取得されたものであり得る。
【００５２】
[0064]（例えば、また、５ＧワイヤレスアクセスでのＬＰＰおよび／またはＮＰＰに対するＵＥ１０５のサポートのインジケーションに基づいて、および）ＬＰＰ／ＮＰＰセッションを開始するために、ＬＭＦ１２０は、アクション５０２において、（例えば、５Ｇ  ＬＣＳ  ＡＰを使用して）ＵＥ１０５にサービス提供しているＡＭＦ１１５にＬＰＰ／ＮＰＰ能力要求メッセージを送る。ＡＭＦ１１５は、アクション５０３において、ＬＰＰ／ＮＰＰ能力要求メッセージを５Ｇ  ＮＡＳトランスポートメッセージ内に含め得、これは、（例えば、図１に例示されるように、ＮＧ−ＲＡＮ１３５におけるＮＡＳ通信経路を介して）ＵＥ１０５に送られる。ＵＥ１０５は、アクション５０４において、同じく５Ｇ  ＮＡＳトランスポートメッセージ内で、ＬＰＰ／ＮＰＰ能力提供メッセージでＡＭＦ１１５に応答する。ＡＭＦ１１５は、５Ｇ  ＮＡＳトランスポートメッセージからＬＰＰ／ＮＰＰ能力提供メッセージを抽出し、アクション５０５において、（例えば、５Ｇ  ＬＣＳ  ＡＰを使用して）ＬＭＦ１２０にＬＰＰ／ＮＰＰ能力提供メッセージを中継する。ここで、アクション５０４および５０５において送られるＬＰＰ／ＮＰＰ能力提供メッセージは、ＵＥ１０５の測位能力、例えば、５Ｇネットワークにアクセスしている間に（while）、ＵＥ１０５によってサポートされる測位方法および関連する支援データ（Ａ−ＧＮＳＳ測位、ＯＴＤＯＡ測位、ＥＣＩＤ測位、ＷＬＡＮ測位など）を示し得る。いくつかの測位方法（例えば、ＯＴＤＯＡ測位）のケースでは、能力は、ＵＥ１０５が、指向性ＰＲＳ信号を測定できるかどうか、または指向性ＰＲＳ信号についての測定値を改善できるかどうかを示し得る。例えば、能力は、ＵＥ１０５が、複数のアンテナを使用して、指向性ＰＲＳについての特定の予期される到来方向にＰＲＳ受信をチューニングすることが可能であることを示し得る。しかしながら、ある態様では、ＵＥ１０５は、無指向性ＰＲＳ（例えば、セルカバレッジエリア全体にわたって送信されるＰＲＳ）と同じ方法で指向性ＰＲＳを捕捉および測定し得、ＰＲＳが指向性ＰＲＳであるか無指向性ＰＲＳであるかを認識する必要がない場合がある。この態様では、能力は、指向性ＰＲＳに対するＵＥのサポートを示さない場合がある。
【００５３】
[0065]アクション５０５において受信されたＵＥ１０５の測位能力に基づいて、および場合によっては、アクション５０１において受信されたロケーション要求（例えば、アクション５０１において受信されたロケーション要求に含まれるロケーション精度要件）に基づいて、ＬＭＦ１２０は、アクション５０６において、ＵＥ１０５を位置特定するための１つまたは複数の測位方法を選択し得る。例えば、ＬＭＦは、ｇＮＢ１１０からおよび／またはｎｇ−ｅＮＢ１１４から送信された指向性ＰＲＳに関連して、アクション５０６において、ＯＴＤＯＡおよび／またはＥＣＩＤを選択し得る。
【００５４】
[0066]アクション５０６において選択された（１つまたは複数）測位方法と、アクション５０５においてサポートされているとしてＵＥ１０５によって示された支援データとに基づいて、ＬＭＦ１２０は、（１つまたは複数の）選択された測位方法をサポートするためのＵＥ１０５についての支援データを決定し得る。その後、ＬＭＦ１２０は、アクション５０７において、ＮＲＰＰａ情報要求メッセージを送り得、これは、（アクション５０８において）ＡＭＦ１１５によって、サービングノードｇＮＢ１１０−１に中継され得る。ＮＲＰＰａ情報要求は、ｇＮＢ１１０−１のロケーションなどの、ｇＮＢ１１０−１についてのロケーション関連情報、ｇＮＢ１１０−１のためのＰＲＳ構成パラメータ、および／またはｇＮＢ１１０−１による支援データのブロードキャストに関する情報を要求し得る。アクション５０７および５０８において送られるＮＲＰＰａ情報要求は、指向性ＰＲＳに関連した構成パラメータに関する要求（例えば、ｇＮＢ１１０−１によって送信される各指向性ＰＲＳについての送信の方向、水平角の範囲、垂直角の範囲、および／または他の信号特性に関する要求）を含み得る。サービングノードｇＮＢ１１０−１は、アクション５０９において、ＮＲＰＰａ情報応答メッセージで応答し、これは、アクション５１０において、ＡＭＦ１１５によってＬＭＦ１２０に中継され得る。ＮＲＰＰａ情報応答は、アクション５０７および５０８において要求されたロケーション関連情報の一部または全てを提供し得る。例えば、アクション５０７および５０８において、ＰＲＳおよび／または指向性ＰＲＳのための構成パラメータが要求されたとき、ＮＲＰＰａ情報応答は、ｇＮＢ１１０−１によってサポートされる各ＰＲＳおよび／または各指向性ＰＲＳについての信号特性および他の構成情報を提供し得る。指向性ＰＲＳのケースでは、提供される情報は、送信の方向、水平角の範囲、垂直角の範囲、および／または他の信号特性（例えば、キャリア周波数、周波数シフト（またはｖｓｈｉｆｔ）、帯域幅、コードシーケンス、測位機会の周期性、測位機会の持続時間、および／またはミューティングシーケンス）を含み得る。アクション５０７〜５１０は、ｇＮＢ１１０−２およびｎｇ−ｅＮＢ１１４（図５に図示せず）などの、ＵＥ１０５の近くにある他のｇＮＢ１１０および／またはｎｇ−ｅＮＢからロケーション関連情報（例えば、指向性ＰＲＳのための構成パラメータ）を取得するために、ＬＭＦ１２０によって繰り返され得る。
【００５５】
[0067]いくつかのインプリメンテーションでは、サービングｇＮＢ１１０−１、および／またはｇＮＢ１１０−２およびｎｇ−ｅＮＢ１１４（図５に図示せず）などの他のｇＮＢ１１０およびｎｇ−ｅＮＢは、例えば、５Ｇアクセスのための無線リソース制御プロトコル（ＲＲＣ）を使用して（図５に図示せず）、ポイントツーポイント手段によって、ＵＥ１０５に支援データを提供し得、および／または、アクション５１１において、ＵＥ１０５に（および他のＵＥに）支援データをブロードキャストし得る。ブロードキャストは、いくつかのインプリメンテーションでは、ＲＲＣプロトコルのためのシステム情報ブロック（ＳＩＢ）を使用し得る。支援データは、送り側ｇＮＢ１１０によって送信されるおよび／または他の近くのｇＮＢ１１０および／またはｎｇ−ｅＮＢ１１４によって送信されるＰＲＳ信号および／または指向性ＰＲＳ信号についての構成パラメータおよび信号特性を含み得る。ｇＮＢ１１０−１によって（および／または、他のｇＮＢ１１０および／またはｎｇ−ｅＮＢ１１４によって）ブロードキャストされるＰＲＳ信号および／または指向性ＰＲＳ信号についての構成パラメータおよび信号特性は、アクション５１２および５１３において送られるロケーション関連情報について以下でさらに説明されるＰＲＳ信号および／または指向性ＰＲＳ信号についての構成パラメータおよび信号特性と同じであり得る。いくつかの実施形態では、例えば、全てのロケーション関連情報が、ｇＮＢ１１０−１によって、および／または他のｇＮＢ１１０および／またはｎｇ−ｅＮＢ１１４によって、ＵＥにブロードキャストされ得る場合、次に説明されるような、アクション５１２および５１３は、行われない場合がある。
【００５６】
[0068]ＬＭＦ１２０は、アクション５１０において受信された支援データの一部または全て、および場合によっては、ＬＭＦ１２０によって既に知られている他の支援データを、アクション５１２においてＡＭＦ１１５に送られ、アクション５１３において５Ｇ  ＮＡＳトランスポートメッセージにおいてＡＭＦ１１５によってＵＥ１０５に中継されるＬＰＰ／ＮＰＰ支援データ提供メッセージを介して、ＵＥ１０５に送り得る。ＯＴＤＯＡ測位のケースでは、支援データは、ｇＮＢ１１０によっておよび／またはｎｇ−ｅＮＢ１１４によってサポートされる基準セルおよびネイバーセル（neighbor cells）の識別情報を含み得、また、セルキャリア周波数などの各セルについての情報およびセル内で送信される各ＰＲＳのための構成パラメータを含み得る。支援データはまた、ｇＮＢ１１０および／またはｎｇ−ｅＮＢ１１４のアンテナアレイによってビームフォーミングされ得る異なる指向性ＰＲＳ信号に関連付けられた構成パラメータおよび信号特性を含み得る。例えば、このような実施形態では、支援データは、基準セルまたはネイバーセルによって送信される各指向性ＰＲＳについて、ＰＲＳ  ＩＤ、送信ポイントＩＤ、物理セルＩＤ、コードシーケンス、ミューティングパターン、周波数シフト（ｖｓｈｉｆｔ）、測位機会の周期性および持続時間などといった情報を含み得る。各指向性ＰＲＳについてのアクション５１２および５１３において送られる支援データに含まれる情報は、無指向性ＰＲＳのために含まれ得る情報と同じであり得、このケースでは、支援データは、指向性ＰＲＳを識別しないか、またはいかなる個別の支援データも提供しない場合がある。しかしながら、ある態様では、アクション５１２および５１３においてＬＭＦ１２０によって送られる支援データは、指向性ＰＲＳの識別、送信の方向、水平角の範囲、および／または垂直角の範囲などの、指向性ＰＲＳに関する個別の情報を含み得る。いくつかのインプリメンテーションでは、アクション５０６において選択された（１つまたは複数の）測位方法が、ＥＣＩＤ、ＯＴＤＯＡ、および／またはＵＥ１０５による指向性ＰＲＳ測定値を利用する他の測位方法（例えば、ＡＯＡ、ＡＯＤ、ＷＬＡＮ）を含むとき、今しがた説明されたような指向性ＰＲＳについての情報は、アクション５１２および５１３において、ＬＭＦ１２０によって送られ得る。
【００５７】
[0069]アクション５１３において送信されたＮＡＳトランスポートメッセージは、アクション５１４において、先と同様にＬＭＦ１２０からＡＭＦ１１５に送られるＬＰＰ／ＮＰＰロケーション情報要求メッセージによって後続され得、これは、アクション５１５において、ＡＭＦ１１５によって５Ｇ  ＮＡＳトランスポートメッセージにおいてＵＥ１０５に中継される。ＬＰＰ／ＮＰＰロケーション情報要求メッセージは、例えば、アクション５０６において選択された（１つまたは複数の）測位方法、および／または、アクション５０４および５０５においてＬＭＦ１２０に送られたＵＥ１０５の測位能力に従ったロケーション推定値および／またはＵＥ１０５からの１つまたは複数のロケーション測定値を要求し得る。測位測定値は、例えば、ＯＴＤＯＡまたはＥＣＩＤについてのＴＯＡ測定値、ＯＴＤＯＡについてのＲＳＴＤ測定値、ＡＯＡ、ＲＴＴ、ＲＳＲＰ、ＲＳＲＱの測定値、および／またはＥＣＩＤについての一方向信号伝搬遅延などを含み得る。測位測定値のうちのいくつかはさらに、例えば、アクション５１１、５１２、および５１３について先に説明されたように、構成パラメータおよび信号特性が提供されている可能性のある指向性ＰＲＳなどの、指向性ＰＲＳについて指定されるかまたは測定が可能であり得る。
【００５８】
[0070]その後、アクション５１６において、ＵＥ１０５は、アクション５１４および５１５において要求されたロケーション測定値（location measurements）（および他の情報）の一部または全てを取得し得る。ロケーション測定値は、サービングｇＮＢ１１０−１によっておよび／または他の近くのｇＮＢ１１０および／またはｎｇ−ｅＮＢ１１４によって送信された指向性ＰＲＳに部分的に基づいて作成され得る。例えば、ＯＴＤＯＡの場合、指向性ＰＲＳは、基準セルおよび／またはネイバーセル内で、ｇＮＢ１１０および／またはｎｇ−ｅＮＢ１１４によって送信され得る。アクション５１６において取得された測定値は、アクション５１５がＵＥ１０５からロケーション推定値を要求する場合、アクション５１５において暗示された、またはアクション５１５において要求された測定値の一部または全てを備え得る。ＵＥ１０５は、アクション５１１においておよび／またはアクション５１３において受信されたロケーション関連情報における指向性ＰＲＳについて提供された構成パラメータおよび信号特性に基づいて、（例えば、ＯＴＤＯＡのケースでは基準セルまたはネイバーセルについて、あるいはＥＣＩＤのケースではサービングセルまたはネイバーセルについて）指向性ＰＲＳを測定し得る。例えば、ＵＥ１０５は、指向性ＰＲＳを捕捉し、ＡＯＡ、ＴＯＡ、ＲＳＴＤ、ＲＳＳＩ、ＲＳＲＰ、ＲＳＲＱ、ＲＴＴなどといった特性を測定するために、指向性ＰＲＳについてのＰＲＳ  ＩＤ、送信ポイントＩＤ、物理セルＩＤ、コードシーケンス、ミューティングパターン、周波数シフト（ｖｓｈｉｆｔ）、測位機会の周期性および持続時間のうちの１つまたは複数を使用し得る。いくつかの態様では、ＵＥ１０５はまた、あるいはその代わりに、アクション５１１においておよび／またはアクション５１３において受信された場合、指向性ＰＲＳに関する個別の（または一意の）情報を、指向性ＰＲＳを捕捉および測定するために使用し得る。個別の（または一意の）情報は、指向性ＰＲＳの識別、送信の方向、水平角の範囲、および／または垂直角の範囲を含み得る。例えば、図４に関連して説明されたように、いくつかのインプリメンテーションでは、ＵＥ１０５は、ＬＯＳであることが予期される指向性ＰＲＳを選択的に測定し、受信されないことまたはＮＬＯＳ（またはマルチパス）であることが予期される指向性ＰＲＳを無視し得る。加えて、または代わりに、ＵＥ１０５は、特定の送信の方向について受信される指向性ＰＲＳを選択的に受信および測定し、他の送信の方向について受信される指向性ＰＲＳを含む任意の信号をフィルタで除去および無視するために、複数のアンテナまたはアンテナアレイを使用し得る。
【００５９】
[0071]いくつかの実施形態では、アクション５１６において取得されたロケーション測定値の少なくともいくつかは、ＬＰＰ／ＮＰＰロケーション情報提供メッセージにおいて提供され、これは、アクション５１７において、５Ｇ  ＮＡＳトランスポートメッセージにおいてＵＥ１０５からＡＭＦ１１５に送られる。ＡＭＦ１１５は、５Ｇ  ＮＡＳトランスポートメッセージからＬＰＰ／ＮＰＰロケーション情報提供メッセージを抽出し、アクション５１８において、（例えば、５Ｇ  ＬＣＳ  ＡＰを使用して）ＬＭＦ１２０にそれを中継する。この情報を用いて、ＬＭＦ１２０は、アクション５１９において、ＵＥ１０５のロケーションを決定し得る。ＬＭＦ１２０は、ＵＥ１０５のロケーションを決定するために、図３Ａ、図３Ｂ、および図４に関連して説明された技法のうちの１つまたは複数を用い得る。例えば、アクション５１７および５１８において、ＵＥ１０５によって返されたロケーション測定値が、１つまたは複数の指向性ＰＲＳについての測定値（例えば、ＴＯＡ、ＲＳＲＰ、ＲＳＲＱ、ＲＳＴＤ、ＲＴＴの測定値）を含むとき、ＬＭＦ１２０は、ＰＲＳ  ＩＤまたはＴＰ  ＩＤ（例えば、これは、特定のコードシーケンスおよび／または周波数シフト（ｖｓｈｉｆｔ）に関連付けられ得る）または測定時間（例えば、ＴＯＡ測定値）を使用して、測定値が提供された指向性ＰＲＳを識別し得、その後、ＥＣＩＤ、ＡＯＡ、またはＯＴＤＯＡなどの図３Ａ〜図４について説明された技法のうちの１つまたは複数を使用し得る。
【００６０】
[0072]アクション５１９におけるロケーション決定に続いて、ＬＭＦ１２０は、アクション５２０において、この決定されたロケーションを、アクション５０１においてロケーション要求を送ったエンティティ（例えば、ＧＭＬＣ１２５またはＡＭＦ１１５）に送り得る。
【００６１】
[0073]いくつかの実施形態では、ＵＥ１０５は、アクション５１６に続いて、ＵＥ１０５についてのロケーションを決定し得る（図５に図示せず）。ロケーションは、図３Ａ〜図４に関連して説明された技法を使用して、アクション５１９について今しがた説明されたように、ＵＥ１０５によって決定され得る。ＵＥ１０５によるロケーション決定は、先に説明されたロケーション関連情報と、ｇＮＢ１１０および／またはｎｇ−ｅＮＢ１１４のためのアンテナのロケーションならびにｇＮＢ１１０および／またはｎｇ−ｅＮＢ１１４のための任意の送信タイミング差などの他の情報とを含む、アクション５１１において、および／または、アクション５１２および５１３において、ＵＥ１０５によって受信されたロケーション関連情報に基づき得る。その後、ＵＥ１０５は、ロケーション測定値を返す代わりに、アクション５１７および５１８において、ＬＭＦ１２０に決定されたロケーションを返し得る。この実施形態では、アクション５１９は行われない場合がある。
【００６２】
[0074]図６は、ＰＲＳ測位機会を伴う例となるＬＴＥサブフレームシーケンス６００の構造を示す。サブフレームシーケンス６００は、通信システム１００におけるｎｇ−ｅＮＢ１１４からのＰＲＳおよび指向性ＰＲＳのブロードキャストに適用可能であり得る。図６がＬＴＥのためのサブフレームシーケンスの例を提供する一方で、同様のサブフレームシーケンスのインプリメンテーションが、５ＧおよびＮＲなどの他の通信技術／プロトコルのために実現され得る。例えば、通信システム１００におけるｇＮＢ１１０は、サブフレームシーケンス６００と同様であるＰＲＳ、指向性ＰＲＳ、または他のタイプの基準信号（ＲＳ）もしくは指向性ＲＳ（例えば、追跡基準信号（ＴＲＳ））をブロードキャストし得る。図６では、時間は、時間が左から右に増大するように水平に（例えば、Ｘ軸上で）表され、一方、周波数は、周波数が下から上に増大（または低減）するように垂直に（例えば、Ｙ軸上で）表される。図６に示されるように、ダウンリンクおよびアップリンクＬＴＥ無線フレーム６１０は、それぞれ１０ｍｓの持続時間であり得る。ダウンリンク周波数分割複信（ＦＤＤ）モードの場合、無線フレーム６１０は、例示される実施形態では、それぞれ１ｍｓの持続時間の１０個のサブフレーム６１２に編成される。各サブフレーム６１２は、各々が、例えば、０．５ｍｓの持続時間である、２つのスロット６１４を備える。
【００６３】
[0075]周波数領域では、利用可能な帯域幅は、均一に離間された直交サブキャリア６１６に分割され得る。例えば、１５ｋＨｚ間隔を使用する、例えば、通常の長さのサイクリックプレフィックスの場合、サブキャリア６１６は、１２個（１２）のサブキャリアのグループにグループ化され得る。１２個のサブキャリア６１６を備える各グループ分けは、リソースブロックと称され、上記の例では、リソースブロック中のサブキャリアの数は、
【００６４】
【数１】
2020530110.tif 000003
【００６５】
と書かれ得る。所与のチャネル帯域幅について、送信帯域幅構成６２２とも呼ばれる、各チャネル上で利用可能なリソースブロックの数６２２は、
【００６６】
【数２】
2020530110.tif 000004
【００６７】
として示される。例えば、上記の例における３ＭＨｚのチャネル帯域幅の場合、各チャネル上で利用可能なリソースブロックの数６２２は、
【００６８】
【数３】
2020530110.tif 000005
【００６９】
によって与えられる。
【００７０】
[0076]図１に例示された通信システム１００では、ｎｇ−ｅＮＢ１１４またはｇＮＢ１１０−１もしくは１１０−２のいずれかなどのｇＮＢ１１０は、ＵＥ（例えば、ＵＥ１０５）のポジション決定のために測定および使用され得る、図６において、および（後に説明されるように）図７において示されるものと同様であるか、または（例えば、ｎｇ−ｅＮＢ１１４のケースでは）同じであるかのいずれかであるフレーム構成に従って、ＰＲＳ信号（すなわち、ダウンリンク（ＤＬ）ＰＲＳ）をサポートする、フレームまたは他の物理レイヤシグナリングシーケンスを送信し得る。述べられたように、他のタイプのワイヤレスノードおよび基地局（例えば、ｅＮＢまたはＷｉＦｉ  ＡＰ）もまた、図６および図７に図示されるものと同様の（またはそれと同じ）方法で構成されたＰＲＳ信号を送信するように構成され得る。ワイヤレスノードまたは基地局によるＰＲＳの送信は、無線範囲内の全てのＵＥに向けられるので、ワイヤレスノードまたは基地局もまた、ＰＲＳを送信（またはブロードキャスト）するものと見なされ得る。さらに、いくつかのインプリメンテーションでは、図１〜図５に関連して説明された指向性ＰＲＳは、図６および図７について説明および示されたものと同様または同じフレーム構成を有し得る。
【００７１】
[0077]３ＧＰＰ  ＬＴＥリリース９およびそれ以降のリリースにおいて定義されているＰＲＳは、（例えば、運用および保守（Ｏ＆Ｍ）サーバによる）適切な構成の後に、ワイヤレスノード（例えば、ｅＮＢ、ｎｇ−ｅＮＢ１１４）によって送信され得る。ＰＲＳは、測位機会にグループ化される特別な測位サブフレーム（special positioning subframes）において送信され得る。例えば、ＬＴＥでは、ＰＲＳ測位機会は、連続する測位サブフレームの数ＮＰＲＳを備え得、ここで、数ＮＰＲＳは、１から１６０の間であり得る（例えば、値１、２、４、および６、ならびに他の値を含み得る）。ワイヤレスノードによってサポートされるセルのためのＰＲＳ測位機会は、ミリ秒（またはサブフレーム）インターバルの、数ＴＰＲＳによって示されるインターバルで周期的に生じ得、ここで、ＴＰＲＳは、５、１０、２０、４０、８０、１６０、３２０、６４０、または１２８０（または、その他任意の適切な値）に等しくあり得る。例として、図６は、ＮＰＲＳが４に等しく６１８、ＴＰＲＳが２０以上である６２０、測位機会の周期性を例示する。いくつかの実施形態では、ＴＰＲＳは、連続する測位機会の開始の間のサブフレーム数によって測定され得る。
【００７２】
[0078]各測位機会内で、ＰＲＳは、一定の電力で送信され得る。ＰＲＳはまた、ゼロ電力で送信され得る（すなわち、ミュートされる）。定期的にスケジュールされたＰＲＳ送信をオフにするミューティングは、異なるセル間のＰＲＳ信号が同じまたはほとんど同じ時間に発生することによって重複するときに有用であり得る。このケースでは、いくつかのセルからのＰＲＳ信号はミュートされ得、一方、他のセルからのＰＲＳ信号は（例えば、一定の電力で）送信される。ミューティングは、（ミュートされているＰＲＳ信号からの干渉を回避することによって）ミュートされていないＰＲＳ信号の、ＵＥ（図１および図５に図示されているＵＥ１０５ならびに図４のＵＥ４２０など）による信号捕捉ならびにＴＯＡおよびＲＳＴＤ測定を支援し得る。ミューティングは、特定のセルのための所与の測位機会についてのＰＲＳの非送信と見なされ得る。ミューティングパターン（ミューティングシーケンスとも呼ばれる）は、ビット列を使用してＵＥに（例えば、ＬＰＰまたはＮＰＰを使用して）シグナリングされ得る。例えば、ミューティングパターンを示すためにシグナリングされるビット列において、ポジションｊにおけるビットが「０」に設定される場合には、ＵＥは、ＰＲＳがｊ番目の測位機会の間ミュートされると推論し得る。
【００７３】
[0079]ＰＲＳの可聴性をさらに改善するために、測位サブフレームは、ユーザデータチャネルなしで送信される低干渉サブフレームであり得る。結果として、理想的に同期されたネットワークでは、ＰＲＳは、データ送信からではなく、同じＰＲＳパターンインデックスをもつ（すなわち、同じ周波数シフトをもつ）他のセルのＰＲＳからの干渉を受け得る。例えば、ＬＴＥでの、周波数シフトは、セルまたはＴＰについてのＰＲＳ  ＩＤの関数（
【００７４】
【数４】
2020530110.tif 000006
【００７５】
として表される）として、あるいはＰＲＳ  ＩＤが割り当てられていない場合、物理セル識別子（ＰＣＩ）（
【００７６】
【数５】
2020530110.tif 000007
【００７７】
として表される）の関数として定義され、これは、６の実効周波数再利用係数をもたらす。
【００７８】
[0080]（例えば、１．４ＭＨｚの帯域幅に対応する６つのリソースブロックのみを用いるなど、ＰＲＳ帯域幅が制限されるとき）またＰＲＳの可聴性を改善するために、連続するＰＲＳ測位機会（または連続するＰＲＳサブフレーム）のための周波数帯域は、周波数ホッピングを介して既知のおよび予測可能な方法で変更され得る。加えて、ワイヤレスノードによってサポートされるセルは、１つより多くのＰＲＳ構成をサポートし得、ここで、各ＰＲＳ構成は、個別の周波数オフセット（ｖｓｈｉｆｔ）、個別のキャリア周波数、個別の帯域幅、個別のコードシーケンス、および／または１測位機会当たりの特定のサブフレーム数（ＮＰＲＳ）および特定の周期性（ＴＰＲＳ）をもつＰＲＳ測位機会の個別のシーケンスを備え得る。いくつかのインプリメンテーションでは、セルにおいてサポートされるＰＲＳ構成のうちの１つまたは複数は、指向性ＰＲＳのためのものであり得、この場合、個別の送信の方向、個別の水平角の範囲、および／または個別の垂直角の範囲などの、追加の個別の特性を有し得る。ＰＲＳのさらなる拡張もまた、ワイヤレスノードによってサポートされ得る。
【００７９】
[0081]（例えば、シグナリングフロー５００のアクション５１１、５１２、および５１３について）本明細書で説明されたように、いくつかの実施形態では、ＯＴＤＯＡ支援データは、「基準セル」および「基準セル」に対する１つまたは複数の「ネイバーセル」または「隣接セル」について、ロケーションサーバ（例えば、図１のＬＭＦ１２０、Ｅ−ＳＭＬＣなど）によってＵＥ１０５に提供され得る。例えば、支援データは、各セルの中心チャネル周波数、様々なＰＲＳ構成パラメータ（例えば、ＮＰＲＳ、ＴＰＲＳ、ミューティングシーケンス、周波数ホッピングシーケンス、ＰＲＳ  ＩＤ、ＰＲＳ帯域幅）、セルグローバルＩＤ、指向性ＰＲＳに関連付けられたＰＲＳ信号特性、および／またはＯＴＤＯＡまたは何らかの他の測位方法（例えば、ＥＣＩＤ）に適用可能な他のセル関連パラメータを提供し得る。
【００８０】
[0082]ＵＥ１０５によるＰＲＳベースの測位は、ＯＴＤＯＡ支援データにおいてＵＥ１０５のためのサービングセルを示すことによって（例えば、基準セルがサービングセルであると示されることにより）促進され得る。５Ｇワイヤレスアクセスを有するＵＥ１０５のケースでは、基準セルは、（例えば、ＵＥ１０５のための既知の５Ｇサービングセルによって示されるように）ＵＥ１０５の予期されるおおよそのロケーションにおいて良好なカバレッジを有する（例えば、ｇＮＢ１１０によってサポートされる）何らかのセルとして、ＬＭＦ１２０によって選ばれ得る。
【００８１】
[0083]いくつかの実施形態では、ＯＴＤＯＡ支援データはまた、「予期されるＲＳＴＤ」パラメータを含み得、これは、ＵＥ１０５が基準セルと各ネイバーセルとの間の、その現在のロケーションにおいて測定することが予期されるＲＳＴＤ値についての情報を、予期されるＲＳＴＤパラメータの不確実性とともに、ＵＥ１０５に提供する。予期されるＲＳＴＤは、関連付けられた不確実性とともに、ＵＥ１０５がＲＳＴＤ値を測定することが予期される、ＵＥ１０５のためのサーチウィンドウを定義し得る。ＯＴＤＯＡ支援情報はまた、ＰＲＳ構成情報パラメータを含み得、これは、ＵＥ１０５が、基準セルのためのＰＲＳ測位機会に対して、様々なネイバーセルから受信される信号に対する（on）ＰＲＳ測位機会がいつ生じるかを決定することと、信号の到着時間（ＴＯＡ）またはＲＳＴＤを測定するために、様々なセルから送信されたＰＲＳシーケンスを決定することとを可能にする。
【００８２】
[0084]ＲＳＴＤ測定値と、各セルの既知の絶対または相対送信タイミングと、基準セルおよび隣接セルのためのワイヤレスノードの物理送信アンテナの（１つまたは複数の）既知のポジションとを使用して、ＵＥ１０５のポジションは、（例えば、ＵＥ１０５によって、ＬＭＦ１２０によって、またはｇＮＢ１１０もしくはｎｇ−ｅＮＢ１１４などの何らかの他のノードによって）計算され得る。より詳細には、基準セル「Ｒｅｆ」に対するネイバーセル「ｋ」についてのＲＳＴＤは、（ＴＯＡｋ−ＴＯＡＲｅｆ）として与えられ得、ここで、ＴＯＡ値は、異なる時間に異なるサブフレームを測定することの影響を除去するために、モジュロ１サブフレーム持続時間（１ｍｓ）として測定され得る（may be measured modulo one subframe duration (1 ms)）。その後、異なるセルについてのＴＯＡ測定値は、（例えば、「物理レイヤ；測定値（Physical layer; Measurements）」と題する３ＧＰＰ  ＴＳ３６．２１４において定義されるように）ＲＳＴＤ測定値に変換され、ＵＥ１０５によってロケーションサーバ（例えば、ＬＭＦ１２０またはＥ−ＳＭＬＣ）に送られ得る。（i）ＲＳＴＤ測定値、（ii）各セルの既知の絶対または相対送信タイミング、（iii）基準セルおよび隣接セルのための物理送信アンテナの（１つまたは複数の）既知のポジション、および／または（iv）送信の方向などの指向性ＰＲＳ特性を使用して、ＵＥ１０５のポジションが決定され得る。
【００８３】
[0085]図７は、ワイヤレスノード（ｎｇ−ｅＮＢ１１４またはｇＮＢ１１０など）によってサポートされるセルのためのＰＲＳ送信のさらなる態様を例示する。先と同様に、ＬＴＥのためのＰＲＳ送信が図７において仮定されるが、図７について説明および示されたものと同じまたは同様のＰＲＳ送信の態様が、５Ｇ、ＮＲ、および／または他のワイヤレス技術に適用され得る。図７は、ＰＲＳ測位機会が、システムフレーム番号（ＳＦＮ）、セル固有サブフレームオフセット（ΔＰＲＳ））、およびＰＲＳ周期性（ＴＰＲＳ）７２０によってどのように決定されるかを示す。典型的に、セル固有ＰＲＳサブフレーム構成は、ＯＴＤＯＡ支援データに含まれる「ＰＲＳ構成インデックス」ＩＰＲＳによって定義される。ＰＲＳ周期性（ＴＰＲＳ）７２０およびセル固有サブフレームオフセット（ΔＰＲＳ）は、下記の表１に例示されるように、「物理チャネルおよび変調」と題する３ＧＰＰ  ＴＳ３６．２１１におけるＰＲＳ構成インデックスＩＰＲＳに基づいて定義される。
【００８４】
【表１】
2020530110.tif 000008
【００８５】
[0086]ＰＲＳ構成は、ＰＲＳを送信するセルのシステムフレーム番号（ＳＦＮ）を参照して定義される。第１のＰＲＳ測位機会を備えるＮＰＲＳダウンリンクサブフレームの第１のサブフレームについて、ＰＲＳインスタンスは、次を満たし得る：
【００８６】
【数６】
2020530110.tif 000009
【００８７】
ここで、ｎｆは、０≦ｎｆ≦１０２３のＳＦＮであり、ｎｓは、０≦ｎｓ≦１９のｎｆによって定義される無線フレーム内のスロット番号であり、ＴＰＲＳは、ＰＲＳ周期性であり、ΔＰＲＳは、セル固有サブフレームオフセットである。
【００８８】
[0087]図７に示されるように、セル固有サブフレームオフセットΔＰＲＳ７５２は、システムフレーム番号０（スロット「番号０」、スロット７５０としてマークされる）から開始して、最初の（後続の）ＰＲＳ測位機会の開始まで送信されるサブフレーム数によって定義され得る。図７では、連続する測位サブフレームの数７１８（ＮＰＲＳ）は、４に等しい。
【００８９】
[0088]いくつかの実施形態では、ＵＥ１０５が特定のセルのためのＯＴＤＯＡ支援データにおいてＰＲＳ構成インデックスＩＰＲＳを受信したとき、ＵＥ１０５は、表１を使用してＰＲＳ周期性ＴＰＲＳおよびＰＲＳサブフレームオフセットΔＰＲＳを決定し得る。その後、ＵＥ１０５は、（例えば、式（１）を使用して）ＰＲＳがセルにおいてスケジュールされる無線フレーム、サブフレーム、およびスロットを決定し得る。ＯＴＤＯＡ支援データは、例えば、ＬＭＦ１２０またはＥ−ＳＭＬＣによって決定され、基準セルおよび様々なワイヤレスノードによってサポートされるいくつかのネイバーセルのための支援データを含み得る。
【００９０】
[0089]典型的に、同じ周波数を使用するネットワークにおける全てのセルからのＰＲＳ機会は、時間的に揃えられ、異なる周波数を使用するネットワークにおける他のセルに対して固定された既知の時間オフセットを有し得る。ＳＦＮ同期ネットワークでは、全てのワイヤレスノード（例えば、ｇＮＢ、ｎｇ−ｅＮＢ、ｅＮＢなど）は、フレーム境界とシステムフレーム番号の両方で揃えられ得る。したがって、ＳＦＮ同期ネットワークでは、様々なワイヤレスノードによってサポートされる全てのセルが、ＰＲＳ送信の任意の特定の周波数に対して同じＰＲＳ構成インデックスを使用し得る。一方、ＳＦＮ非同期ネットワークでは、様々なワイヤレスノードは、システムフレーム番号ではなく、フレーム境界で揃えられ得る。したがって、ＳＦＮ非同期ネットワークでは、各セルについてのＰＲＳ構成インデックスは、ＰＲＳ機会が時間的に揃えられるように、ネットワークによって別個に構成され得る。
【００９１】
[0090]ＵＥ１０５が、セルのうちの少なくとも１つ、例えば、基準セルまたはサービングセルのセルタイミング（例えば、ＳＦＮまたはフレーム番号）を取得し得る（例えば、これは、図５のアクション５１６の一部として実行され得る）場合、ＵＥ１０５は、ＯＴＤＯＡ測位のために基準セルおよびネイバーセルの（例えば、通信システム１００でのような、５ＧネットワークまたはＬＴＥネットワークにおける）ＰＲＳ機会のタイミングを決定し得る。その後、他のセルのタイミングは、例えば、異なるセルからのＰＲＳ機会は重複するという仮定に基づいて、ＵＥ１０５によって導出され得る。
【００９２】
[0091]３ＧＰＰによって（例えば、３ＧＰＰ  ＴＳ３６．２１１において）定義されるように、ＬＴＥシステムの場合、（例えば、ＯＴＤＯＡ測位のために）ＰＲＳを送信するために使用されるサブフレームのシーケンスは、先に説明されたように、（i）帯域幅（ＢＷ）のリザーブされたブロック、（ii）構成インデックスＩＰＲＳ、（iii）持続時間ＮＰＲＳ、（iv）オプションのミューティングパターン、および（v）存在するときに（iv）におけるミューティングパターンの一部として暗黙的に含まれ得るミューティングシーケンス周期性ＴＲＥＰを備える、いくつかのパラメータによって定義および特徴付けられ得る。かなり低いＰＲＳデューティサイクルを伴う、いくつかのケースでは、ＮＰＲＳ＝１、ＴＰＲＳ＝１６０個のサブフレーム（１６０ｍｓに等しい）、およびＢＷ＝１．４、３、５、１０、１５、または２０ＭＨｚである。ＰＲＳデューティサイクルを増大させるために、ＮＰＲＳ値は、６に増大され得（すなわち、ＮＰＲＳ＝６）、帯域幅（ＢＷ）値は、システム帯域幅に増大され得る（すなわち、ＬＴＥのケースでは、ＢＷ＝ＬＴＥシステム帯域幅）。最大でフルデューティサイクル（すなわち、ＮＰＲＳ＝ＴＰＲＳ）までの、より大きいＮＰＲＳ（例えば、６より大きい）および／またはより短いＴＰＲＳ（例えば、１６０ｍｓ未満）を有する拡張ＰＲＳがまた、３ＧＰＰ  ＴＳ３６．３５５によるＬＰＰの後のバージョンにおいて使用され得る。（例えば、図１〜図５に関連して説明されたような）指向性ＰＲＳは、３ＧＰＰ  ＴＳに従って今しがた説明されたように構成され得、例えば、低ＰＲＳデューティサイクル（例えば、ＮＰＲＳ＝１、ＴＰＲＳ＝１６０個のサブフレーム）または高デューティサイクルを使用し得る。
【００９３】
[0092]図８は、モバイルデバイス（例えば、ＵＥ１０５またはＵＥ４２０）の測位をサポートおよび促進するために、（例えば、ＬＴＥ、ＮＲ、または５Ｇプロトコルに従って）シグナリングを送信するように構成された第１の基地局において実行される例となるプロシージャ８００のフローチャートを示す。プロシージャ８００は、図４の基地局４１０、図２の基地局２０２、ＬＴＥのためのｅＮＢ、図１のｇＮＢ１１０などの５ＧまたはＮＲのためのｇＮＢ、あるいは図１のｎｇ−ｅＮＢ１１４などの５Ｇのためのｎｇ−ｅＮＢなどの基地局によって実行され得る。プロシージャ８００はまた、信号（例えば、ＮＲまたはＬＴＥ信号）を送信するが信号を受信しない測位専用ビーコンによってサポートされ得る。
【００９４】
[0093]プロシージャ８００は、ブロック８１０において（第１の基地局によって）、複数の指向性測位基準信号（ＰＲＳ）の各々が少なくとも１つの信号特性および送信の方向を備えている状態で、第１の基地局のための少なくとも１つのセルのための複数の指向性ＰＲＳを生成することを含む。少なくとも１つのセルは、モバイルデバイスのためのサービングセルであり得る。ある実施形態では、少なくとも１つの信号特性および送信の方向のうちの少なくとも１つは、一意であり得る（例えば、第１の基地局によってまたは他の近くの基地局によって、少なくとも１つのセルのために送信されるその他任意の指向性ＰＲＳについて、それぞれ、対応する少なくとも１つの信号特性および／または対応する送信の方向とは異なり得る）。
【００９５】
[0094]プロシージャ８００は、ブロック８２０において、少なくとも１つのセル内で複数の指向性ＰＲＳの各々を送信することをさらに含み、ここにおいて、複数の指向性ＰＲＳの各々は、送信の方向に送信される。複数の指向性ＰＲＳにおける任意の指向性ＰＲＳについての少なくとも１つの信号特性は、その指向性ＰＲＳについての送信の方向を示し得る。例えば、少なくとも１つの信号特性は、複数の指向性ＰＲＳにおけるその他任意の指向性ＰＲＳについての対応する少なくとも１つの信号特性とは異なっていることにより、指向性ＰＲＳを識別し得、それによって、この指向性ＰＲＳについての既知の送信の方向を示し得る。したがって、少なくとも１つの信号特性は、例えば、マルチパス干渉を低減または除去するために、またはさもなければ、図３Ａ〜図４に関連して説明されたように、モバイルデバイスについてのロケーション決定を促進するために使用され得る。
【００９６】
[0095]少なくとも１つの信号特性は、例えば、周波数（例えば、キャリア周波数）、周波数シフト、コードシーケンス、ミューティングパターン、送信時間または送信時間のセット、あるいはこれらの何らかの組合せを備え得る。いくつかの実施形態では、ブロック８２０において複数の指向性ＰＲＳを送信することは、それぞれの送信の方向に各指向性ＰＲＳをビームフォーミングするように構成された（基地局の）制御可能なアンテナアレイを通じて、複数の指向性ＰＲＳを方向づけることを含み得る。いくつかの実施形態では、（特定の指向性ＰＲＳについての）送信の方向は、水平角の連続範囲からの第１の角度、および／または垂直角の連続範囲からの第２の角度を含み得る。いくつかの実施形態では、特定の指向性ＰＲＳについての送信の方向は、水平角の連続範囲、垂直角の連続範囲、またはこれらの組合せを備え得る。いくつかの実施形態では、特定の指向性ＰＲＳについての送信の方向は、（例えば、角度または複数の角度として表される）離散的な送信の方向のセットから選択され得る。指向性ＰＲＳは、各指向性ＰＲＳの識別を可能にする（したがって、各指向性ＰＲＳについての送信の方向の決定を可能にする）少なくとも１つの信号特性にそれぞれ関連付けられた実質的に非重複である方向に送信され得る。
【００９７】
[0096]いくつかの実施形態では、ブロック８２０において送信された複数の指向性ＰＲＳのうちの少なくとも１つは、観測到着時間差（ＯＴＤＯＡ）測位方法、放射角（ＡＯＤ）測位方法、および／または拡張セルＩＤ（ＥＣＩＤ）測位方法に基づいて、位置特定対応デバイスにおいてモバイルデバイスのロケーション決定を促進するために、モバイルデバイスによって検出可能であり得る。送信された指向性ＰＲＳ信号を利用する他の測位方法もまた使用され得る。述べられたように、位置特定対応デバイスにおけるロケーション決定動作は、例えば、（指向性ＰＲＳを送信する）第１の基地局、第１の基地局とは異なる第２の基地局、モバイルデバイス、ロケーションサーバ（例えば、ＬＭＦ１２０、ＳＬＰ、またはＥ−ＳＭＬＣ）、および／または他のタイプのデバイスのうちの１つまたは複数において実行され得る。これらの実施形態では、第１の基地局は、例えば、ＬＭＦ１２０が位置特定対応デバイスであるときは、シグナリングフロー５００におけるアクション５０９および５１０でのように、またはＵＥ１０５が位置特定対応デバイスであるときは、アクション５１１でのように、位置特定対応デバイスに、複数の指向性ＰＲＳのうちの少なくとも１つについての送信の方向、および／または複数の指向性ＰＲＳのうちの少なくとも１つについての他の構成パラメータおよび信号特性を送り得る。
【００９８】
[0097]ブロック８２０において送信された複数の指向性ＰＲＳのうちの少なくとも１つが、位置特定対応デバイスにおいてモバイルデバイスのロケーション決定を促進するために、モバイルデバイスによって検出可能である実施形態では、複数の指向性ＰＲＳのうちの少なくとも１つは、複数の指向性ＰＲＳのうちの少なくとも１つについての送信の方向、複数の指向性ＰＲＳのうちの少なくとも１つについての少なくとも１つの信号特性、またはこれらの組合せに基づいて、モバイルデバイスによって検出可能であり得る。例えば、複数の指向性ＰＲＳのうちの少なくとも１つについての少なくとも１つの信号特性は、複数の指向性ＰＲＳのうちの少なくとも１つを捕捉および測定するために、モバイルデバイスによって使用され得る。例えば、モバイルデバイスは、１つの測位機会の持続時間などの時間期間にわたってコヒーレントまたは非コヒーレント積分を使用して、指向性ＰＲＳ信号を積分し得、積分された信号を、同じ少なくとも１つの信号特性を有する予期される信号と比較または相関させ得、これは、モバイルデバイスが指向性ＰＲＳを検出および測定することを可能にし得る。これらの実施形態のいくつかでは、少なくとも１つの信号特性は、モバイルデバイスによって受信され得る他のＰＲＳおよび／または他の指向性ＰＲＳ信号についての対応する単一の信号特性とは異なる単一の信号特性を備え得る。代替として、これらの実施形態のいくつかでは、少なくとも１つの信号特性は、モバイルデバイスによって受信され得る他のＰＲＳおよび／または他の指向性ＰＲＳ信号についての２つ以上の信号特性の対応する組合せとは集合的に異なる（collectively different）２つ以上の信号特性の組合せを備え得る。これらの実施形態のいくつかでは、モバイルデバイスは、図４に関連して説明されたように、この指向性ＰＲＳについての送信の方向に送信された信号のみを選択的に受信するために、複数のアンテナまたはアンテナアレイを使用することによって、この指向性ＰＲＳを検出するために、モバイルデバイスによって検出可能な複数の指向性ＰＲＳのうちの少なくとも１つについての送信の方向を使用し得る。
【００９９】
[0098]いくつかの実施形態では、プロシージャ８００は、モバイルデバイスに、複数の指向性ＰＲＳのうちの少なくとも１つについての送信の方向または少なくとも１つの信号特性のうちの少なくとも１つを送ることをさらに備え得る。送ることは、例えば、ブロードキャストのケースでは、シグナリングフロー５００におけるアクション５１１について説明されたように、少なくとも１つのセル内でのブロードキャストに、またはポイントツーポイント転送に基づき得る。
【０１００】
[0099]ブロック８２０において送信された複数の指向性ＰＲＳのうちの少なくとも１つが、位置特定対応デバイスにおいてモバイルデバイスのロケーション決定を促進するために、モバイルデバイスによって検出可能である実施形態では、位置特定対応デバイスにおけるロケーション決定動作は、複数の指向性ＰＲＳのうちの少なくとも１つについての関連付けられた送信の方向と、モバイルデバイスについてのおおよそのロケーションとに基づいて、複数の指向性ＰＲＳのうちの少なくとも１つについてのマルチパスの有無を決定することを含み得る。ここで、位置特定対応デバイスにおいてモバイルデバイスのロケーションを決定することは、マルチパスの決定された有無に少なくとも部分的に基づき得る。例えば、図４について説明されたように、マルチパスがあることが決定されたとき、モバイルデバイスのロケーションを決定することは、ブロック８２０において送信された複数の指向性ＰＲＳのうちの少なくとも１つを無視すること（disregarding）（例えば、無視すること（ignoring））を含み得る。逆に、そしてまた図４について説明されたように、マルチパスがないことが決定されたとき、モバイルデバイスのロケーションを決定することは、ブロック８２０において送信された複数の指向性ＰＲＳのうちの少なくとも１つを使用すること（例えば、複数の指向性ＰＲＳのうちの少なくとも１つについてのモバイルデバイスによって取得された測定値を使用すること）を含み得る。モバイルデバイスについてのおおよそのロケーションは、モバイルデバイスのためのサービングセルに、またはモバイルデバイスのロケーションの前の決定（previous determination）に、少なくとも部分的に基づき得る。例えば、前の決定は、ブロック８２０において送信されかつモバイルデバイスによって検出可能な複数の指向性ＰＲＳのうちの少なくとも１つに、少なくとも部分的に基づき得る（例えば、複数の指向性ＰＲＳのうちの少なくとも１つについてのモバイルデバイスによって取得された測定値に基づく）。
【０１０１】
[00100]図９は、モバイルデバイスの測位をサポートするために、概してモバイルデバイス（例えば、図１および図５のＵＥ１０５または図４のＵＥ４２０などのＵＥ）において実行される、例となるプロシージャ９００のフローチャートを示す。プロシージャ９００は、ブロック９１０において、第１の指向性測位基準信号（ＰＲＳ）が少なくとも１つの第１の信号特性および第１の送信の方向を備えている状態で、モバイルデバイスにおいて、第１の基地局（例えば、ｇＮＢ１１０、ｎｇ−ｅＮＢ１１４、またはｅＮＢ）のための少なくとも１つのセル内で第１の基地局によって送信された第１の指向性ＰＲＳを受信することを含む。少なくとも１つのセルは、例えば、第１の基地局が図１のｇＮＢ１１０−１であり、モバイルデバイスがＵＥ１０５である場合、モバイルデバイスのためのサービングセルであり得る。述べられたように、少なくとも１つの第１の信号特性は、例えば、キャリア周波数、周波数シフト（例えば、ｖｓｈｉｆｔ）、コードシーケンス（例えば、ＰＲＳコードシーケンス）、ミューティングパターン、帯域幅、および／または送信時間（または送信時間のセット）のうちの１つまたは複数を含み得る。いくつかの実施形態では、第１の指向性ＰＲＳは、第１の送信の方向に第１の指向性ＰＲＳをビームフォーミングするように構成された制御可能なアンテナアレイを通じて、第１の基地局から送信される。同じく述べられたように、第１の送信の方向は、水平角の連続範囲、および／または垂直角の連続範囲を有する方向を含み得る（または、それによって定義される）。
【０１０２】
[00101]引き続き図９を参照すると、プロシージャ９００は、ブロック９２０において、少なくとも１つの第１の信号特性に少なくとも部分的に基づいて、第１の指向性ＰＲＳについての少なくとも１つの第１の測定値を取得することをさらに含む。ブロック９２０は、シグナリングフロー５００におけるアクション５１６またはアクション５１６の一部に対応し得る。ブロック９２０において取得される第１の指向性ＰＲＳについての少なくとも１つの第１の測定値は、例えば、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、往復信号伝搬時間（ＲＴＴ）、少なくとも１つの第１の信号特性の検出、および／またはこれらの任意の組合せを含み得る。第１の指向性ＰＲＳについての少なくとも１つの第１の信号特性は、ブロック９２０において、第１の指向性ＰＲＳ信号を捕捉および測定するために、モバイルデバイスによって使用され得る。例えば、モバイルデバイスは、１つのＰＲＳ測位機会の持続時間などの時間期間にわたってコヒーレントまたは非コヒーレント積分を使用して、第１の指向性ＰＲＳおよび他の受信された信号を積分し得、積分された信号を、同じ少なくとも１つの第１の信号特性を有する予期される信号と比較または相関させ得、これは、モバイルデバイスが第１の指向性ＰＲＳを検出および測定することを可能にし得る。いくつかの実施形態では、少なくとも１つの第１の信号特性は、同じくモバイルデバイスによって受信され得る他のＰＲＳおよび／または他の指向性ＰＲＳ信号についての対応する単一の信号特性とは異なる単一の信号特性を備え得る。他の実施形態では、少なくとも１つの第１の信号特性は、モバイルデバイスによって受信され得る他のＰＲＳおよび／または他の指向性ＰＲＳ信号についての２つ以上の信号特性の対応する組合せとは集合的に異なる２つ以上の信号特性の組合せを備え得る。いくつかの実施形態では、モバイルデバイスは、図４に関連して説明されたように、第１の送信の方向に送信された信号のみを選択的に受信するために、複数のアンテナまたはアンテナアレイを使用することによって、ブロック９２０において、第１の指向性ＰＲＳを捕捉および測定するために、第１の指向性ＰＲＳについての第１の送信の方向を使用し得る。いくつかの実施形態では、第１の指向性ＰＲＳについての少なくとも１つの第１の信号特性は、（例えば、シグナリングフロー５００のアクション５１１について説明されたように）第１の基地局から、または（例えば、シグナリングフロー５００のアクション５１２および５１３について説明されたように）Ｅ−ＳＭＬＣ、ＳＬＰ、またはＬＭＦ１２０などのロケーションサーバから、（例えば、ブロック９２０を実行する前に）モバイルデバイスによって受信され得る。
【０１０３】
[00102]プロシージャ９００は、ブロック９３０において、少なくとも１つの第１の測定値に少なくとも部分的に基づいて、位置特定対応デバイスにおいてモバイルデバイスのロケーション決定を促進することをさらに含む。ブロック９３０でのロケーション決定は、シグナリングフロー５００におけるアクション５１９に対応し得る。本明細書で説明されるように、ロケーション決定動作のうちの少なくともいくつかが実行され得る位置特定対応デバイスは、例えば、モバイルデバイス、第１の基地局、何らかの他の基地局、および／またはロケーションサーバ（例えば、図１のＬＭＦ１２０、Ｅ−ＳＭＬＣ、ＳＬＰなど）のうちの１つまたは複数を含み得る。位置特定対応デバイスにおけるモバイルデバイスのロケーション決定は、例えば、観測到着時間差（ＯＴＤＯＡ）測位方法、放射角（ＡＯＤ）測位方法、拡張セルＩＤ（ＥＣＩＤ）測位方法に、またはこれらの何らかの組合せに基づき得、図３Ａ、図３Ｂ、および図４に関連して本明細書で説明された技法のうちの１つまたは複数を用い得る。位置特定対応デバイスが第１の基地局またはロケーションサーバ（例えば、Ｅ−ＳＭＬＣ、ＳＬＰ、またはＬＭＦ１２０）に対応するとき、ブロック９３０においてロケーション決定を促進することは、例えば、位置特定対応デバイスがＬＭＦ１２０であるときのシグナリングフロー５００におけるアクション５１７および５１８でのように、位置特定対応デバイスに第１の指向性ＰＲＳについての少なくとも１つの第１の測定値を送ることを含み得る。
【０１０４】
[00103]いくつかの実施形態では、位置特定対応デバイスにおけるモバイルデバイスのロケーション決定は、第１の指向性ＰＲＳについての第１の送信の方向と、モバイルデバイスについてのおおよそのロケーションとに基づいて、第１の指向性ＰＲＳについてのマルチパスの有無を決定することを含み得る。ここで、モバイルデバイスのロケーションを決定することは、マルチパスの決定された有無に少なくとも部分的に基づき得る。例えば、および図４について説明されたように、マルチパスがあることが決定されたとき、モバイルデバイスのロケーションを決定することは、ブロック９２０において取得された少なくとも１つの第１の測定値を無視すること（disregarding）（例えば、無視すること（ignoring））を含み得る。逆に、そしてまた図４について説明されたように、マルチパスがないことが決定されたとき、モバイルデバイスのロケーションを決定することは、ロケーション決定の際に、ブロック９２０において取得された少なくとも１つの第１の測定値を使用することを含み得る。モバイルデバイスについてのおおよそのロケーションは、モバイルデバイスのためのサービングセルに、または少なくとも１つの第１の測定値に少なくとも部分的に基づくモバイルデバイスのロケーションの前の決定に、少なくとも部分的に基づき得る。
【０１０５】
[00104]いくつかの実施形態では、モバイルデバイスのロケーション決定は、複数の指向性ＰＲＳ信号のモバイルデバイスによる測定値に基づいてインプリメントされ得る。したがって、このような実施形態では、プロシージャ９００は、第２の指向性ＰＲＳが少なくとも１つの第２の信号特性および第２の送信の方向を含んでいる状態で、および第２の指向性ＰＲＳについての少なくとも１つの第２の信号特性および第２の送信の方向が、それぞれ、第１の指向性ＰＲＳについての少なくとも１つの第１の信号特性および第１の送信の方向とは異なっている状態で、モバイルデバイスにおいて、第２の基地局のための少なくとも１つのセル内で第２の基地局によって送信された第２の指向性ＰＲＳを受信することをさらに含み得る。このような実施形態では、プロシージャ９００はまた、第２の指向性ＰＲＳについての少なくとも１つの第２の信号特性に少なくとも部分的に基づいて、第２の指向性ＰＲＳについての少なくとも１つの第２の測定値を取得することと、少なくとも１つの第１の測定値および少なくとも１つの第２の測定値に少なくとも部分的に基づいて、位置特定対応デバイスにおいてモバイルデバイスのロケーション決定を促進することとを含み得る。
【０１０６】
[00105]プロシージャ９００のいくつかの実施形態では、少なくとも１つの第１の信号特性および第１の送信の方向のうちの少なくとも１つは、一意であり得る（例えば、第１の基地局によってまたは何らかの他の近くの基地局によって、少なくとも１つのセル内で送信されるその他任意の指向性ＰＲＳについて、それぞれ、対応する信号特性および／または対応する送信の方向とは異なり得る）。
【０１０７】
[00106]図１０は、図１および図５のＵＥ１０５または図４のＵＥ４２０などのモバイルデバイスの測位をサポートするために、概して位置特定対応デバイスにおいて実行される、例となるプロシージャ１０００のフローチャートを示す。プロシージャ１０００は、モバイルデバイスによって、ｅＮＢ、ｎｇ−ｅＮＢ１１４、またはｇＮＢ１１０などの基地局によって、あるいはＥ−ＳＭＬＣ、ＳＬＰ、またはＬＭＦ１２０などのロケーションサーバによって、実行され得る。
【０１０８】
[00107]プロシージャ１０００は、ブロック１０１０において、第１の基地局のための少なくとも１つのセルにおいて第１の基地局によって送信された第１の指向性測位基準信号（ＰＲＳ）についての、モバイルデバイスからの少なくとも１つの第１の測定値を取得することを含み、ここで、第１の指向性ＰＲＳは、少なくとも１つの第１の信号特性および第１の送信の方向を備える。少なくとも１つのセルは、例えば、第１の基地局がｇＮＢ１１０−１に対応し、モバイルデバイスがＵＥ１０５に対応する場合、モバイルデバイスのためのサービングセルであり得る。少なくとも１つの第１の測定値は、位置特定対応デバイスがモバイルデバイスである場合、ブロック１０１０において直接取得され得、あるいは位置特定対応デバイスが基地局（例えば、第１の基地局）またはロケーションサーバ（例えば、ＬＭＦ１２０）である場合、モバイルデバイスから位置特定対応デバイスにおいて受信されることによって、ブロック１０１０において取得され得る。例えば、少なくとも１つの第１の測定値は、位置特定対応デバイスが基地局である場合、無線リソース制御（ＲＲＣ）メッセージにおいてモバイルデバイスから受信され得、あるいは位置特定対応デバイスがロケーションサーバである場合（例えば、ＬＭＦ１２０に対応するロケーションサーバのためのシグナリングフロー５００についてのアクション５１７および５１８について説明されたように）、ＬＰＰ、ＮＰＰ、またはＮＲＰＰメッセージにおいてモバイルデバイスから受信され得る。
【０１０９】
[00108]プロシージャ１０００は、ブロック１０２０において、少なくとも１つの第１の測定値および第１の送信の方向に少なくとも部分的に基づいて、モバイルデバイスのロケーションを決定することをさらに含む。位置特定対応デバイスがロケーションサーバ（例えば、ＬＭＦ１２０）であるいくつかの実施形態では、ブロック１０２０は、シグナリングフロー５００におけるアクション５１９に対応し得る。
【０１１０】
[00109]本明細書で説明されたように、少なくとも１つの第１の信号特性は、キャリア周波数、周波数シフト（例えば、ｖｓｈｉｆｔ）、コードシーケンス（例えば、ＰＲＳコードシーケンス）、ミューティングパターン、帯域幅、送信時間（または送信時間のセット）、またはこれらの何らかの組合せを備え得る。第１の送信の方向は、水平角の連続範囲、および／または垂直角の連続範囲を含み得る。いくつかの実施形態では、第１の指向性ＰＲＳは、第１の送信の方向に第１の指向性ＰＲＳをビームフォーミングするように構成された制御可能なアンテナアレイを通じて、第１の基地局から送信され得る。第１の指向性ＰＲＳについての少なくとも１つの第１の測定値は、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、往復信号伝搬時間（ＲＴＴ）、少なくとも１つの第１の信号特性の検出、および／またはこれらの何らかの組合せを含み得る。
【０１１１】
[00110]いくつかの実施形態では、位置特定対応デバイスは、モバイルデバイスを含み得、プロシージャ１０００は、このような実施形態では、第１の基地局からまたはＥ−ＳＭＬＣ、ＳＬＰ、もしくはＬＭＦ（例えば、ＬＭＦ１２０）などのロケーションサーバから、少なくとも１つの第１の信号特性および／または第１の送信の方向を受信することをさらに含み得る。少なくとも１つの第１の信号特性および／または第１の送信の方向は、例えば、シグナリングフロー５００におけるアクション５１１について説明されたように、第１の基地局からブロードキャスト信号を受信することによって、第１の基地局から受信され得る。少なくとも１つの第１の信号特性および／または第１の送信の方向は、例えば、シグナリングフロー５００におけるアクション５１２および５１３について説明されたように、ロケーションサーバからＬＰＰまたはＮＰＰメッセージを受信することによって、ロケーションサーバ（例えば、ＬＭＦ１２０）から受信され得る。
【０１１２】
[00111]いくつかの実施形態では、位置特定対応デバイスは、第１の基地局またはロケーションサーバ（例えば、Ｅ−ＳＭＬＣ、ＳＬＰ、またはＬＭＦ１２０）を含み得、このような実施形態では、プロシージャ１０００は、モバイルデバイスに少なくとも１つの第１の信号特性および／または第１の送信の方向を送ることをさらに含み得る。例えば、位置特定対応デバイスが第１の基地局を含むとき、少なくとも１つの第１の信号特性および／または第１の送信の方向は、例えば、シグナリングフロー５００におけるアクション５１１について説明されたように、ブロードキャスティングを使用してモバイル局に送られ得る。例えば、位置特定対応デバイスがロケーションサーバ（例えば、ＬＭＦ１２０）を含むとき、少なくとも１つの第１の信号特性および／または第１の送信の方向は、例えば、シグナリングフロー５００におけるアクション５１２および５１３について説明されたように、ＬＰＰまたはＮＰＰメッセージにおいてモバイルデバイスに送られ得る。
【０１１３】
[00112]いくつかの実施形態では、および本明細書で先に説明されたように、少なくとも１つの第１の信号特性および／または第１の送信の方向は、（例えば、モバイルデバイスが位置特定対応デバイスである場合は、ブロック１０１０において、あるいは位置特定対応デバイスが第１の基地局またはロケーションサーバを含む場合は、ブロック１０１０より前に）モバイルデバイスが、第１の指向性ＰＲＳを捕捉および測定し、第１の指向性ＰＲＳの少なくとも１つの第１の測定値を取得することを可能にするかまたは支援し得る。例えば、モバイルデバイスは、１つのＰＲＳ測位機会の持続時間などの時間期間にわたってコヒーレントまたは非コヒーレント積分を使用して、第１の指向性ＰＲＳおよび他の受信された信号を積分し得、積分された信号を、同じ少なくとも１つの第１の信号特性を有する予期される信号と比較または相関させ得、これは、モバイルデバイスが第１の指向性ＰＲＳを検出および測定することを可能にし得る。
【０１１４】
[00113]いくつかの実施形態では、ブロック１０２０においてモバイルデバイスのロケーションを決定することは、観測到着時間差（ＯＴＤＯＡ）測位方法、放射角（ＡＯＤ）測位方法、拡張セルＩＤ（ＥＣＩＤ）測位方法に、またはこれらの何らかの組合せに基づき得る。プロシージャ１０００はまた、このような実施形態では、第１の送信の方向と、モバイルデバイスについてのおおよそのロケーションとに基づいて、第１の指向性ＰＲＳについてのマルチパスの有無を決定することを含み得、ここで、モバイルデバイスのロケーションを決定することは、マルチパスの決定された有無に少なくとも部分的に基づく。例えば、および図４について説明されたように、マルチパスがあることが決定されたとき、ブロック１０２０においてモバイルデバイスのロケーションを決定することは、ブロック１０１０において取得された少なくとも１つの第１の測定値を無視すること（disregarding）（例えば、無視すること（ignoring））を含み得る。逆に、そしてまた図４について説明されたように、マルチパスがないことが決定されたとき、ブロック１０２０においてモバイルデバイスのロケーションを決定することは、ブロック１０２０におけるロケーション決定の際に、ブロック１０１０において取得された少なくとも１つの第１の測定値を使用することを含み得る。モバイルデバイスについてのおおよそのロケーションは、モバイルデバイスのためのサービングセルに、またはブロック１０１０において取得された少なくとも１つの第１の測定値に少なくとも部分的に基づくモバイルデバイスのロケーションの前の決定に、少なくとも部分的に基づき得る。
【０１１５】
[00114]いくつかの実施形態では、ブロック１０２０におけるモバイルデバイスのロケーション決定は、複数の指向性ＰＲＳ信号のモバイルデバイスによる測定値に基づいてインプリメントされ得る。したがって、このような実施形態では、プロシージャ１０００は、第２の指向性ＰＲＳが少なくとも１つの第２の信号特性および第２の送信の方向を含んでいる状態で、および第２の指向性ＰＲＳについての少なくとも１つの第２の信号特性および第２の送信の方向が、それぞれ、第１の指向性ＰＲＳについての少なくとも１つの第１の信号特性および第１の送信の方向とは異なっている状態で、第２の基地局のための少なくとも１つのセルにおいて第２の基地局によって送信された第２の指向性ＰＲＳについての、モバイルデバイスからの少なくとも１つの第２の測定値を取得することをさらに含み得る。このような実施形態では、プロシージャ１０００はまた、少なくとも１つの第１の測定値、少なくとも１つの第２の測定値、第１の指向性ＰＲＳについての第１の送信の方向、および第２の指向性ＰＲＳについての第２の送信の方向に少なくとも部分的に基づいて、モバイルデバイスのロケーションを決定することを含み得る。
【０１１６】
[00115]プロシージャ１０００のいくつかの実施形態では、第１の指向性ＰＲＳについての少なくとも１つの第１の信号特性および第１の送信の方向のうちの少なくとも１つは、一意であり得る（例えば、第１の基地局によってまたは何らかの他の近くの基地局によって、少なくとも１つのセル内で送信されるその他任意の指向性ＰＲＳについて、それぞれ、対応する信号特性および／または対応する送信の方向とは異なり得る）。
【０１１７】
[00116]図１１は、基地局、アクセスポイント、またはサーバなどの、例となるワイヤレスノード１１００の概略図を示し、これは、例えば、図１、図２、図４、および図５に図示された（例えば、ｇＮＢ１１０−１および１１０−２、ｎｇ−ｅＮＢ１１４、基地局２０２、基地局４１０、ＬＭＦ１２０、５ＧＣ１４０の構成要素）か、さもなければ本明細書で説明された（例えば、Ｅ−ＳＭＬＣまたはＳＬＰなど）様々なノードの任意のものと同様であり、それらと同様の機能を有するように構成され得る。ワイヤレスノード１１００は、１つまたは複数の通信モジュール１１１０ａ〜ｎを含み得、これは、例えば、図１および図５のＵＥ１０５などのワイヤレスデバイスと通信するために、１つまたは複数のアンテナ１１１６ａ〜ｎに電気的に結合され得る。通信モジュール１１１０ａ〜１１１０ｎの各々は、信号（例えば、フレームにおいて配置され得、本明細書で説明されたものなどの指向性測位基準信号を含み得るダウンリンクメッセージ）を送るためのそれぞれの送信機１１１２ａ〜ｎ、およびオプションとして（例えば、アップリンク通信を受信および処理するように構成されたノードの場合）、それぞれの受信機１１１４ａ〜ｎを含み得る。インプリメントされたノードが送信機と受信機の両方を含む実施形態では、送信機と受信機とを備える通信モジュールは、トランシーバと呼ばれ得る。ノード１１００はまた、ワイヤライン手段を介して（例えば、クエリおよび応答を送ることおよび受信することによって）、他のネットワークノードと通信するためのネットワークインターフェース１１２０を含み得る。例えば、ノード１１００は、１つまたは複数のコアネットワークノード（例えば、図１および図５に示される他のノードおよび要素のうちの任意のもの）との通信を促進するために、ゲートウェイ、またはネットワークの他の好適なデバイスと（例えば、ワイヤードまたはワイヤレスバックホール通信を介して）通信するように構成され得る。追加および／または代替として、他のネットワークノードとの通信もまた、通信モジュール１１１０ａ〜ｎおよび／またはそれぞれのアンテナ１１１６ａ〜ｎを使用して実行され得る。
【０１１８】
[00117]ノード１１００はまた、本明細書で説明された実施形態とともに使用され得る他の構成要素を含み得る。例えば、ノード１１００は、いくつかの実施形態では、他のノードとの通信（例えば、メッセージを送ることおよび受信すること）を管理し、通信信号を生成し（指向性ＰＲＳ信号を生成することを含む）、本明細書で説明される様々なプロセスおよび方法をインプリメントするための機能を含む、他の関連機能を提供するためのプロセッサ（コントローラとも呼ばれる）１１３０を含み得る。したがって、例えば、プロセッサは、ノード１１００の他のモジュール／ユニットとの組合せにおいて、基地局（例えば、ｇＮＢ１１０またはｎｇ−ｅＮＢ１１４）として機能するとき、ノード１１００に、複数の指向性測位基準信号（ＰＲＳ）の各々が少なくとも１つの信号特性および送信の方向を含んでいる状態で、基地局のための少なくとも１つのセルのための複数の指向性ＰＲＳを生成することと、複数の指向性ＰＲＳの各々が送信の方向に送信されている状態で、少なくとも１つのセル内で複数の指向性ＰＲＳの各々を送信することとを行わせるように構成され得る。同様に、例えば、プロセッサは、ノード１１００の他のモジュール／ユニットとの組合せにおいて、位置特定対応デバイスとして機能するとき、ノード１１１０に、第１の指向性測位基準信号（ＰＲＳ）が少なくとも１つの第１の信号特性および第１の送信の方向を備えている状態で、基地局のための少なくとも１つのセルにおいて基地局によって送信された第１の指向性ＰＲＳについての、モバイルデバイスからの少なくとも１つの第１の測定値を取得することと、少なくとも１つの第１の測定値および第１の送信の方向に少なくとも部分的に基づいて、モバイルデバイスのロケーションを決定することとを行わせるように構成され得る。
【０１１９】
[00118]プロセッサ１１３０は、メモリ１１４０に結合され得（またはさもなければそれと通信し得）、これは、ノード１１００の動作を制御することを促進するための（ソフトウェアのハードウェアでインプリメントされる）１つまたは複数のモジュールを含み得る。例えば、メモリ１１４０は、ノード１１００の動作を実行するために必要とされる様々なアプリケーションのためのコンピュータコードを有するアプリケーションモジュール１１４６を含み得る。例えば、プロセッサ１１３０は、アンテナの送信電力および位相、利得パターン、アンテナ方向（例えば、アンテナ１１１６ａ〜ｎからの結果として得られた放射ビーム（resultant radiation beam）が伝搬する方向）、アンテナダイバーシティ、およびノード１１００のアンテナ１１１６ａ〜ｎについての他の調整可能なアンテナパラメータを調整可能に制御するために、アンテナ１１１６ａ〜ｎの動作を制御するように（例えば、アプリケーションモジュール１１４６、またはメモリ１１４０における何らかの他のモジュールを介して提供されるコードを使用して）構成され得る。ノード１１００のためのアンテナアレイを共に構成する、ノード１１００のアンテナ１１１６ａ〜ｎの制御は、例えば、指向性ＰＲＳ信号が、方向角およびビーム幅によって部分的に特徴付けられる特定の方向にビームフォーミングおよび送信されることを可能にし得る。いくつかの実施形態では、アンテナの構成は、ノード１１００の製造または配備時に提供される予め記憶された構成データに従って、または（ノード１１００のために使用されることになる、アンテナ構成を表すデータおよび他の動作パラメータを送る中央サーバなどの）リモートデバイスから取得されたデータに従って、制御され得る。ワイヤレスノード１１００はまた、いくつかのインプリメンテーションでは、ワイヤレスノード１１００と通信している（または、ワイヤレスノード１１００に結合されたサーバと通信している）複数のワイヤレスデバイス（クライアント）のために、ロケーションデータサービスを実行するか、または他のタイプのサービスを実行し、このような複数のワイヤレスデバイスにロケーションデータおよび／または支援データを提供するように構成され得る。
【０１２０】
[00119]加えて、いくつかの実施形態では、メモリ１１４０はまた、（例えば、ネイバーリスト１１４４を維持して）ネイバー関係を管理し、他の関連機能を提供するために、ネイバー関係コントローラ（例えば、ネイバー発見モジュール）１１４２を含み得る。いくつかの実施形態では、ノード１１１０はまた、１つまたは複数のセンサ（図示せず）および他のデバイス（例えば、カメラ）を含み得る。
【０１２１】
[00120]図１２は、本明細書で説明された様々なプロシージャおよび技法が利用され得るユーザ機器（ＵＥ）１２００を例示する。ＵＥ１２００は、インプリメンテーションおよび／または機能において、図１および図５に図示されたＵＥ１０５ならびに図４のＵＥ４２０を含む、本明細書で説明された他のＵＥのうちの任意のものと同様または同じであり得る。さらに、図１２に例示されるインプリメンテーションはまた、基地局（例えば、ｇＮＢ１１０、ｎｇ−ｅＮＢ１１４、ｅＮＢなど）、ロケーションサーバ（例えば、ＬＭＦ１２０）、および図１〜図１０について説明されかつ例示された他の構成要素およびデバイスなどのノードおよびデバイスを含む、本開示全体にわたって例示されたノードおよびデバイスのうちのいくつかを少なくとも部分的にインプリメントするために使用され得る。
【０１２２】
[00121]ＵＥ１２００は、プロセッサ１２１１（またはプロセッサコア）およびメモリ１２４０を含む。本明細書で説明されるように、ＵＥ１２００は、ロケーション決定動作を促進するために使用される指向性測位基準信号（ＰＲＳ）を検出および処理するように構成される。ＵＥ１２００は、オプションとして、パブリックバス１２０１またはプライベートバス（図示せず）によってメモリ１２４０に動作可能に接続される信頼できる環境を含み得る。ＵＥ１２００はまた、通信インターフェース１２２０と、（図１のＮＧ−ＲＡＮ１３５および５ＧＣ１４０などの）ワイヤレスネットワーク上でワイヤレスアンテナ１２２２を介してワイヤレス信号１２２３（これは、指向性ＰＲＳ信号を備えるＬＴＥまたはＮＲフレームを含み得る）を送受信するように構成されたワイヤレストランシーバ１２２１とを含み得る。ワイヤレストランシーバ１２２１は、通信インターフェース１２２０を介してバス１２０１に接続される。ここで、ＵＥ１２００は、単一のワイヤレストランシーバ１２２１を有するものとして例示される。しかしながら、ＵＥ１２００は、代替として、ＷｉＦｉ、ＣＤＭＡ、広帯域ＣＤＭＡ（ＷＣＤＭＡ）、ロングタームエボリューション（ＬＴＥ）、５Ｇ、ＮＲ、Ｂｌｕｅｔｏｏｔｈ（登録商標）短距離ワイヤレス通信技術などといった複数の通信規格をサポートするために、複数のワイヤレストランシーバ１２２１および／または複数のワイヤレスアンテナ１２２２を有し得る。
【０１２３】
[00122]通信インターフェース１２２０および／またはワイヤレストランシーバ１２２１は、複数のキャリア（異なる周波数の波形信号）上での動作をサポートし得る。マルチキャリア送信機は、変調された信号を複数のキャリア上で同時に送信し得る。各変調された信号は、符号分割多元接続（ＣＤＭＡ）信号、時分割多元接続（ＴＤＭＡ）信号、直交周波数分割多元接続（ＯＦＤＭＡ）信号、シングルキャリア周波数分割多元接続（ＳＣ−ＦＤＭＡ）信号などであり得る。各変調された信号は、異なるキャリア上で送られ得、パイロット、制御情報、オーバーヘッド情報、データなどを搬送し得る。
【０１２４】
[00123]ＵＥ１２００はまた、ユーザインターフェース１２５０（例えば、ディスプレイ、キーボード、タッチスクリーン、グラフィカルユーザインターフェース（ＧＵＩ））と、衛星測位システム（ＳＰＳ）アンテナ１２５８（これは、ワイヤレスアンテナ１２２２と同じアンテナであり得るか、または異なり得る）を介して（例えば、ＳＰＳ衛星から）ＳＰＳ信号１２５９を受信するＳＰＳ受信機１２５５とを含み得る。ＳＰＳ受信機１２５５は、単一の全地球航法衛星システム（ＧＮＳＳ）または複数のそのようなシステムと通信し得る。ＧＮＳＳは、限定はしないが、全地球測位システム（ＧＰＳ）、ガリレオ、Ｇｌｏｎａｓｓ、北斗（コンパス）などを含み得る。ＳＰＳ衛星は、衛星、宇宙ビークル（ＳＶ）などとも呼ばれる。ＳＰＳ受信機１２５５は、ＳＰＳ信号１２５９を測定し、ＵＥ１２００のロケーションを決定するために、ＳＰＳ信号１２５９の測定値を使用し得る。プロセッサ１２１１、メモリ１２４０、デジタルシグナルプロセッサ（ＤＳＰ）１２１２、および／または（１つまたは複数の）専用プロセッサ（図示せず）はまた、ＳＰＳ受信機１２５５と連携して、ＳＰＳ信号１２５９を全体的または部分的に処理するために、および／またはＵＥ１２００のロケーションを（近似的またはより正確に）計算するために、利用され得る。代替として、ＵＥ１２００は、代わりにＵＥロケーションを計算するロケーションサーバ（例えば、Ｅ−ＳＭＬＣ、図１のＬＭＦ１２０などのＬＭＦなど）へのＳＰＳ測定値の転送をサポートし得る。ＳＰＳ信号１２５９または他のロケーション信号からの情報の記憶は、メモリ１２４０またはレジスタ（図示せず）を使用して実行される。１つのプロセッサ１２１１、１つのＤＳＰ１２１２、および１つのメモリ１２４０のみが図１２に示されている一方で、これらの構成要素のいずれか、ペア、または全ての１つより多くのものが、ＵＥ１２００によって使用され得る。ＵＥ１２００に関連付けられたプロセッサ１２１１およびＤＳＰ１２１２は、バス１２０１に接続される。
【０１２５】
[00124]メモリ１２４０は、１つまたは複数の命令またはコードとして機能を記憶する、（１つまたは複数の）非一時的なコンピュータ可読記憶媒体を含み得る。メモリ１２４０を構成し得る媒体は、限定はしないが、ＲＡＭ、ＲＯＭ、ＦＬＡＳＨ、ディスクドライブなどを含む。一般に、メモリ１２４０によって記憶される機能は、プロセッサ１２１１などの（１つまたは複数の）汎用プロセッサ、ＤＳＰ１２１２などの専用プロセッサなどによって実行される。したがって、メモリ１２４０は、（１つまたは複数の）プロセッサ１２１１および／または（１つまたは複数の）ＤＳＰ１２１２に、説明された機能を実行させるように構成されたソフトウェア（プログラミングコード、命令など）を記憶するプロセッサ可読メモリおよび／またはコンピュータ可読メモリである。代替として、ＵＥ１２００の１つまたは複数の機能は、全体的または部分的にハードウェアにおいて実行され得る。
【０１２６】
[00125]ＵＥ１２００は、ＵＥ１２００が利用可能な情報、および／またはビュー内の他の通信エンティティに基づいて、様々な技法を使用して、関連付けられたシステム内のその現在ポジションを推定し得る。例えば、ＵＥ１２００は、基地局（例えば、ｇＮＢ、ｎｇ−ｅＮＢ）、１つまたは複数のワイヤレスローカルエリアネットワーク（ＷＬＡＮ）に関連付けられたアクセスポイント（ＡＰ）、Ｂｌｕｅｔｏｏｔｈ（登録商標）ワイヤレス技術またはＺＩＧＢＥＥ（登録商標）などといった短距離ワイヤレス通信技術を利用するパーソナルエリアネットワーク（ＰＡＮ）、全地球航法衛星システム（ＧＮＳＳ）または他の衛星測位システム（ＳＰＳ）衛星から取得された情報、および／またはマップサーバまたは他のサーバ（例えば、ＬＭＦ、Ｅ−ＳＭＬＣ、またはＳＬＰ）から取得されたマップデータを使用して、そのポジションを推定し得る。いくつかのケースでは、Ｅ−ＳＭＬＣ、ＳＬＰ、スタンドアロンサービングモバイルロケーションセンター（ＳＡＳ）、またはＬＭＦなどであり得るロケーションサーバは、ＵＥ１２００が信号（例えば、ＷＬＡＮ  ＡＰからの信号、（指向性ＰＲＳ信号を含む）セルラ基地局からの信号、ＧＮＳＳ衛星など）を補足し、これらの信号を使用してロケーション関連測定値を作成すること（make location related measurements）を可能にするかまたは支援するために、ＵＥ１２００に支援データを提供し得る。その後、ＵＥ１２００は、ロケーション推定値を計算するために、ロケーションサーバに測定値を提供し得るか（これは、「ＵＥ支援型」測位として知られ得る）、または測定値に基づいて、および場合によっては、ロケーションサーバによって提供される他の支援データ（例えば、ＧＮＳＳ衛星のための軌道およびタイミングデータ、指向性ＰＲＳ信号のための構成パラメータ、ＯＴＤＯＡ、ＡＯＤ、および／またはＥＣＩＤ測位などにおいて使用するためのＷＬＡＮ  ＡＰおよび／またはセルラ基地局の正確なロケーション座標など）にも基づいて、それ自体がロケーション推定値を計算し得る（これは、「ＵＥベースの」測位として知られ得る）。
【０１２７】
[00126]一実施形態では、ＵＥ１２００は、例えば、適切なレンズ構成を有する相補型金属酸化膜半導体（ＣＭＯＳ）画像センサなどの、カメラ１２３０（例えば、前面および／または背面）を含み得る。電荷結合素子（ＣＣＤ）および裏面照射型ＣＭＯＳなどの他のイメージング技術が使用され得る。カメラ１２３０は、ＵＥ１２００の測位を支援するために、画像情報を取得および提供するように構成され得る。一例では、１つまたは複数の外部画像処理サーバ（例えば、リモートサーバ）が、画像認識を実行し、ロケーション推定プロセスを提供するために使用され得る。ＵＥ１２００は、他のセンサ１２３５を含み得、これもまた、ＵＥ１２００についてのロケーションを計算するために使用されるか、またはその計算を支援するために使用され得る。他のセンサ１２３５は、慣性センサ（例えば、そのいずれもが、微小電気機械システム（ＭＥＭＳ）に基づいて、または何らかの他の技術に基づいてインプリメントされ得る、加速度計、ジャイロスコープ、磁力計、コンパス）、ならびに、気圧計、温度計、湿度計、および他のセンサを含み得る。
【０１２８】
[00127]述べられたように、いくつかの実施形態では、ＵＥ１２００は、第１の指向性測位基準信号（ＰＲＳ）が少なくとも１つの信号特性および送信の方向を備えている状態で、第１の基地局のための少なくとも１つのセル内で第１の基地局によって送信された第１の指向性ＰＲＳを（例えば、ワイヤレストランシーバ１２２１を介して）受信するように構成され得る。このような実施形態では、ＵＥ１２００は、少なくとも１つの信号特性に少なくとも部分的に基づいて、第１の指向性ＰＲＳについての少なくとも１つの第１の測定値を取得することと、少なくとも１つの第１の測定値に少なくとも部分的に基づいて、位置特定対応デバイス（これは、ＵＥ１２００を含み得、および／または第１の基地局、何らかの他の基地局、リモートロケーションサーバなどをさらに含み得る）においてＵＥ１２００のロケーション決定を促進することとを行うようにさらに構成され得る。
【０１２９】
[00128]大幅な変形（substantial variations）が、特定の要望に従って行われ得る。例えば、カスタマイズされたハードウェアもまた使用され得、および／または、特定の要素が、ハードウェア、（アプレットなどのポータブルソフトウェアなどを含む）ソフトウェア、または両方でインプリメントされ得る。さらに、ネットワーク入力／出力デバイスなどの他のコンピューティングデバイスへの接続が用いられ得る。
【０１３０】
[00129]構成は、フロー図またはブロック図として図示されるプロセスとして説明され得る。各々は、これら動作をシーケンシャルプロセスとして説明し得るが、動作の多くは、並行してまたは同時並行に実行され得る。加えて、動作の順序は並べ換えられ得る。プロセスは、図面には含まれていない追加のステップを有し得る。さらに、方法の例は、ハードウェア、ソフトウェア、ファームウェア、ミドルウェア、マイクロコード、ハードウェア記述言語、またはこれらの任意の組合せによってインプリメントされ得る。ソフトウェア、ファームウェア、ミドルウェア、またはマイクロコードでインプリメントされるとき、必要なタスクを実行するためのプログラムコードまたはコードセグメントは、記憶媒体などの非一時的なコンピュータ可読媒体に記憶され得る。プロセッサは、説明されたタスクを実行し得る。
【０１３１】
[00130]別途定義されない限り、本明細書で使用される全ての技術的および科学的用語は、一般的にまたは従来から理解されているものと同じ意味を有する。本明細書で使用される場合、「ａ」および「ａｎ」という冠詞は、その冠詞の文法上の対象が１つであることまたは１つより多いこと（すなわち、少なくとも１つであること）を指す。例として、「要素（ａn element）」は、１つの要素または１つより多くの要素を意味する。量や時間的な持続時間などといった測定可能な値を指すときに本明細書で使用される「約（about）」および／または「おおよそ（approximately）」は、指定された値から±２０％または±１０％、±５％、または＋０．１％の変動を包含し、これは、このような変動が、本明細書で説明されたシステム、デバイス、回路、方法、および他のインプリメンテーションのコンテキストにおいて適切であるからである。量、時間的な持続時間、（周波数などの）物理的属性などといった測定可能な値を指すときに本明細書で使用される「実質的に（substantially）」もまた、指定された値から±２０％または±１０％、±５％、または＋０．１％の変動を包含し、これは、このような変動が、本明細書で説明されたシステム、デバイス、回路、方法、および他のインプリメンテーションのコンテキストにおいて適切であるからである。
【０１３２】
[00131]特許請求の範囲内を含め、本明細書で使用される場合、「のうちの少なくとも１つ」または「のうちの１つまたは複数」で終わる項目の列挙において使用される「または（or）」は、例えば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）、あるいは１つより多くの特徴を有する組合せ（例えば、ＡＡ、ＡＡＢ、ＡＢＢＣなど）を意味するような、選言的な列挙（a disjunctive list）を示す。また、本明細書で使用される場合、別段の記載がない限り、機能または動作がアイテムまたは条件「に基づく」という記載は、機能または動作が、記載されたアイテムまたは条件に基づくこと、および記載されたアイテムまたは条件に加えて、１つまたは複数のアイテムおよび／または条件に基づき得ることを意味する。
【０１３３】
[00132]本明細書で使用される場合、モバイルデバイスまたはモバイル局（ＭＳ）は、セルラまたは他のワイヤレス通信デバイス、スマートフォン、タブレット、パーソナル通信システム（ＰＣＳ）デバイス、パーソナルナビゲーションデバイス（ＰＮＤ）、パーソナル情報マネージャ（ＰＩＭ）、携帯情報端末（ＰＤＡ）、ラップトップ、またはナビゲーション測位信号などのナビゲーション信号および／またはワイヤレス通信を受信することが可能である他の好適なモバイルデバイスなどのデバイスを指す。「モバイル局」（または「モバイルデバイス」もしくは「ワイヤレスデバイス」）という用語はまた、衛星信号受信、支援データ受信、および／またはポジション関連処理が、デバイスにおいて行われるかＰＮＤにおいて行われるかにかかわらず、短距離ワイヤレス、赤外線、ワイヤライン接続、または他の接続などによって、パーソナルナビゲーションデバイス（ＰＮＤ）と通信するデバイスを含むように意図される。また、「モバイル局」は、インターネット、Ｗｉ−Ｆｉ、または他のネットワークなどを介して、サーバと通信することが可能である、ワイヤレス通信デバイス、コンピュータ、ラップトップ、タブレットデバイスなどを含む、全てのデバイスを含むように、および衛星信号受信、支援データ受信、および／またはポジション関連処理が、デバイスにおいて行われるか、サーバにおいて行われるか、あるいはネットワークに関連付けられた別のデバイスまたはノードにおいて行われるかにかかわらず、１つまたは複数のタイプのノードと通信するように意図される。上記の任意の動作可能な組合せもまた、「モバイル局」と見なされる。モバイルデバイスはまた、モバイル端末、端末、ユーザ機器（ＵＥ）、デバイス、セキュアユーザプレーンロケーション対応端末（ＳＥＴ：Secure User Plane Location Enabled Terminal）、ターゲットデバイス、ターゲット、または何らかの他の名称で呼ばれ得る。
【０１３４】
[00133]本明細書で提示された技法、プロセス、および／またはインプリメンテーションのうちのいくつかが、１つまたは複数の規格の全てまたは一部に準拠し得る一方で、このような技法、プロセス、および／またはインプリメンテーションは、いくつかの実施形態では、そのような１つまたは複数の規格の一部または全てに準拠しない場合もある。
【０１３５】
[00134]特定の実施形態が詳細に本明細書に開示されているが、これは、例として、例示のみを目的としてなされており、以下の添付の特許請求の範囲に関して限定するように意図されるものではない。具体的には、様々な置換、代替、および修正が、特許請求の範囲によって定義される本発明の趣旨および範囲から逸脱することなく行われ得ることが企図される。他の態様、利点、および修正は、以下の特許請求の範囲内であると見なされる。提示される特許請求の範囲は、本明細書で開示された実施形態および特徴を表す。特許請求の範囲に記載されていない他の実施形態および特徴もまた企図される。したがって、他の実施形態は、以下の特許請求の範囲内にある。
【図１】
2020530110.tif 000010
【図２】
2020530110.tif 000011
【図３Ａ】
2020530110.tif 000012
【図３Ｂ】
2020530110.tif 000013
【図４】
2020530110.tif 000014
【図５】
2020530110.tif 000015
【図６】
2020530110.tif 000016
【図７】
2020530110.tif 000017
【図８】
2020530110.tif 000018
【図９】
2020530110.tif 000019
【図１０】
2020530110.tif 000020
【図１１】
2020530110.tif 000021
【図１２】
2020530110.tif 000022
【国際調査報告】
2020530110.tif 000023
2020530110.tif 000024
2020530110.tif 000025